(57)【要約】【課題】  伝送路のスループットの低下を防ぐことが可能な制御局装置、端末装置、通信システムおよび通信方法を提供する。【解決手段】  端末装置と主信号によるデータ通信が可能となる前に、端末装置から送信された信号に基づいて、端末装置へ送信する信号に前方誤り訂正コードを付加するか否かを決定する。【選択図】        図４
2006352327.tif 000002
【特許請求の範囲】
【請求項１】
受信した試験信号を返信する信号返信モードおよび送信する信号に前方誤り訂正コードを付加するコード付加モードに設定可能な端末装置と、データ通信する制御局装置であって、
前記端末装置を前記信号返信モードに設定するための返信モード設定信号を、前記端末装置へ送信するための設定信号送信手段と、
前記試験信号に前記前方誤り訂正コードを付加した第１の試験信号または前記試験信号に前記前方誤り訂正コードを付加しない第２の試験信号を前記端末装置へ送信する試験信号送信手段と、
前記信号返信モードに設定された前記端末装置が、前記コード付加モードに設定された第１の状態または前記コード付加モードに設定されていない第２の状態のときに前記試験信号送信手段が送信した送信信号と、前記送信信号に基づいて前記端末装置から返信された返信信号との比較結果に基づいて、前記端末装置へ送信する信号に前記前方誤り訂正コードを付加するか否かを決定する送信信号コード付加設定手段とを備え、
前記端末装置と、主信号によるデータ通信が可能となる前に、前記送信信号コード付加設定手段は、前記端末装置へ送信する信号に前記前方誤り訂正コードを付加するか否かを決定する、制御局装置。
【請求項２】
前記端末装置を前記コード付加モードに設定するための端末装置コード付加設定手段をさらに備え、
前記端末装置と、主信号によるデータ通信が可能となる前に、前記端末装置コード付加設定手段は、前記送信信号と、前記返信信号との比較結果に基づいて、前記端末装置をコード付加モードに設定するか否かを決定する、請求項１に記載の制御局装置。
【請求項３】
前記試験信号送信手段は、前記信号返信モードに設定された前記端末装置が、前記第１の状態または前記第２の状態のときに、前記第１の試験信号または前記第２の試験信号を前記端末装置へ送信するといった処理を、異なる条件で順次行い、
前記端末装置と、主信号によるデータ通信が可能となる前に、前記送信信号コード付加設定手段は、前記試験信号送信手段が、順次送信した送信信号と、前記順次送信した送信信号に基づいて前記端末装置から、順次返信された返信信号との比較結果に基づいて、前記端末装置へ送信する信号に前記前方誤り訂正コードを付加するか否かを決定する、請求項１または請求項２に記載の制御局装置。
【請求項４】
受信した試験信号を返信する信号返信モードおよび送信する信号に前方誤り訂正コードを付加するコード付加モードに設定可能であり、前記制御局装置とデータ通信する端末装置であって、
前記制御局装置は、前記端末装置を前記信号返信モードに設定するための返信モード設定信号を、前記端末装置へ送信し、
受信した前記返信モード設定信号に基づいて、前記信号返信モードに設定するための信号返信モード設定手段を備え、
前記制御局装置は、前記端末装置が前記信号返信モードに設定されている場合、前記試験信号に前記前方誤り訂正コードを付加した第１の試験信号または前記試験信号に前記前方誤り訂正コードを付加しない第２の試験信号を前記端末装置へ送信し、
前記コード付加モードに設定するためのコード付加設定手段と、
信号を送信する信号送信手段とをさらに備え、
前記信号送信手段は、前記コード付加モードに設定されている間は、前記制御局装置から受信した、前記第１の試験信号または前記第２の試験信号に、前記前方誤り訂正コードを付加して、前記制御局装置へ返信し、
前記信号送信手段は、前記コード付加モードに設定されていない間は、前記制御局装置から受信した、前記第１の試験信号または前記第２の試験信号を、前記制御局装置へ返信し、
前記制御局装置は、前記端末装置と、主信号によるデータ通信が可能となる前に、前記端末装置へ送信した送信信号と、前記送信信号に基づいて前記端末装置から返信された返信信号との比較結果に基づいて、前記端末装置へ送信する信号に前記前方誤り訂正コードを付加するか否かを決定する、端末装置。
【請求項５】
前記制御局装置は、前記コード付加モードに設定された第１の状態または前記コード付加モードに設定されていない第２の状態のときに、前記第１の試験信号または前記第２の試験信号を前記端末装置へ送信するといった試験信号送信処理を、異なる条件で順次行い、
前記制御局装置は、順次行なわれる前記試験信号送信処理の前および後に、それぞれ、前記返信モード設定信号および前記信号返信モードを解除するための返信モード設定解除信号を、前記端末装置へ送信し、
受信した前記返信モード設定解除信号に基づいて、前記信号返信モードの設定を解除するための信号返信モード設定解除手段と、
前記制御局装置から、前記返信モード設定信号を受信するタイミング毎に、前記コード付加モードに設定するか否かを順次定めた設定情報を記憶した設定情報記憶手段とをさらに備え、
前記コード付加設定手段は、前記設定情報に基づいて、前記コード付加モードに設定する、請求項４に記載の端末装置。
【請求項６】
受信した試験信号を返信する信号返信モードおよび送信する信号に前方誤り訂正コードを付加するコード付加モードに設定可能な端末装置と、前記端末装置とデータ通信する制御局装置とから構成される通信システムであって、
前記制御局装置は、
前記端末装置を前記信号返信モードに設定するための返信モード設定信号を、前記端末装置へ送信するための設定信号送信手段と、
前記試験信号に前記前方誤り訂正コードを付加した第１の試験信号または前記試験信号に前記前方誤り訂正コードを付加しない第２の試験信号を前記端末装置へ送信する試験信号送信手段と、
前記信号返信モードに設定された前記端末装置が、前記コード付加モードに設定された第１の状態または前記コード付加モードに設定されていない第２の状態のときに前記試験信号送信手段が送信した送信信号と、前記送信信号に基づいて前記試験対象端末装置から返信された返信信号との比較結果に基づいて、前記端末装置へ送信する信号に前記前方誤り訂正コードを付加するか否かを決定する送信信号コード付加設定手段とを備え、
前記端末装置は、
受信した前記返信モード設定信号に基づいて、前記信号返信モードに設定するための信号返信モード設定手段と、
前記コード付加モードに設定するためのコード付加設定手段とを備え、
前記制御局装置と、前記端末装置とが、主信号によるデータ通信が可能となる前に、前記送信信号コード付加設定手段は、前記端末装置へ送信する信号に前記前方誤り訂正コードを付加するか否かを決定する、通信システム。
【請求項７】
請求項１〜請求項３のいずれかに記載の制御局装置と、請求項４または請求項５に記載の端末装置とから構成される、通信システム。
【請求項８】
受信した試験信号を返信する信号返信モードおよび送信する信号に前方誤り訂正コードを付加するコード付加モードに設定可能な端末装置と、データ通信する通信方法であって、
前記端末装置を前記信号返信モードに設定するための返信モード設定信号を、前記端末装置へ送信する工程と、
前記試験信号に前記前方誤り訂正コードを付加した第１の試験信号または前記試験信号に前記前方誤り訂正コードを付加しない第２の試験信号を前記端末装置へ送信する工程と、
前記信号返信モードに設定された前記端末装置が、前記コード付加モードに設定された第１の状態または前記コード付加モードに設定されていない第２の状態のときに前記試験信号送信手段が送信した送信信号と、前記送信信号に基づいて前記端末装置から返信された返信信号との比較結果に基づいて、前記端末装置へ送信する信号に前記前方誤り訂正コードを付加するか否かを決定する工程とを含み、
前記端末装置と、主信号によるデータ通信が可能となる前に、前記前方誤り訂正コードを付加するか否かを決定する工程は、前記端末装置へ送信する信号に前記前方誤り訂正コードを付加するか否かを決定する、通信方法。
【発明の詳細な説明】
【技術分野】
【０００１】
本発明は、制御局装置、端末装置、通信システムおよび通信方法に関し、特に、光ファイバを利用してデータ通信する制御局装置、端末装置、通信システムおよび通信方法に関する。
【背景技術】
【０００２】
光ファイバを用いたＰＯＮ（Passive Optical Network）を利用した通信システム（以下、ＰＯＮ通信システムともいう）では、制御局装置に、複数の端末装置が光ファイバで接続されている。そのため、制御局装置と、複数の端末装置の各々がデータ通信する際は、限られた伝送路を共有しなければならない。そこで、ＰＯＮ通信システムでは、共有して利用される伝送路の効率的利用が求められる。
【０００３】
そこで、特開２００４−３６４０５９号公報（特許文献１）（以下、従来技術Ａともいう）では、測定したエラーレートに応じて、前方誤り訂正（以下、ＦＥＣ（Forward Error Correction）ともいう）処理を行なうことで、伝送路のスループットを向上させる技術が開示されている。
【特許文献１】特開２００４−３６４０５９号公報
【発明の開示】
【発明が解決しようとする課題】
【０００４】
しかしながら、従来技術Ａでは、エラーレートを測定する手段や通知する手段が必要であり、機器のコストが高くなるという問題点がある。
【０００５】
また、従来技術Ａでは、制御局と、端末局との間で、主信号の通信が可能となっている状態でしかエラーレートは測定できない。そのため、ＦＥＣ処理を行なう前に、既にエラーレートが高い場合、ＦＥＣ処理により安定した通信状態になるまでの間、主信号の一部がエラーにより欠落するという問題点がある。
【０００６】
また、従来技術Ａでは、制御局から端末局へ、エラーレートを通知するためのフレームを伝送する処理が行なわれるため、伝送路のスループットが低下するという問題点がある。
【０００７】
本発明は、上述の問題点を解決するためになされたものであって、その目的は、主信号の欠落や伝送路のスループットの低下を防ぐことが可能な制御局装置を提供することである。
【０００８】
本発明の他の目的は、主信号の欠落や伝送路のスループットの低下を防ぐことが可能な端末装置を提供することである。
【０００９】
本発明のさらに他の目的は、主信号の欠落や伝送路のスループットの低下を防ぐことが可能な通信システムを提供することである。
【００１０】
本発明のさらに他の目的は、主信号の欠落や伝送路のスループットの低下を防ぐことが可能な通信方法を提供することである。
【課題を解決するための手段】
【００１１】
上述の課題を解決するために、この発明のある局面に従うと、受信した試験信号を返信する信号返信モードおよび送信する信号に前方誤り訂正コードを付加するコード付加モードに設定可能な端末装置と、データ通信する制御局装置は、端末装置を信号返信モードに設定するための返信モード設定信号を、端末装置へ送信するための設定信号送信手段と、試験信号に前方誤り訂正コードを付加した第１の試験信号または試験信号に前方誤り訂正コードを付加しない第２の試験信号を端末装置へ送信する試験信号送信手段と、信号返信モードに設定された端末装置が、コード付加モードに設定された第１の状態またはコード付加モードに設定されていない第２の状態のときに試験信号送信手段が送信した送信信号と、送信信号に基づいて端末装置から返信された返信信号との比較結果に基づいて、端末装置へ送信する信号に前方誤り訂正コードを付加するか否かを決定する送信信号コード付加設定手段とを備え、端末装置と、主信号によるデータ通信が可能となる前に、送信信号コード付加設定手段は、端末装置へ送信する信号に前方誤り訂正コードを付加するか否かを決定する。
【００１２】
好ましくは、端末装置をコード付加モードに設定するための端末装置コード付加設定手段をさらに備え、端末装置と、主信号によるデータ通信が可能となる前に、端末装置コード付加設定手段は、送信信号と、返信信号との比較結果に基づいて、端末装置をコード付加モードに設定するか否かを決定する。
【００１３】
好ましくは、試験信号送信手段は、信号返信モードに設定された端末装置が、第１の状態または第２の状態のときに、第１の試験信号または第２の試験信号を端末装置へ送信するといった処理を、異なる条件で順次行い、端末装置と、主信号によるデータ通信が可能となる前に、送信信号コード付加設定手段は、試験信号送信手段が、順次送信した送信信号と、順次送信した送信信号に基づいて端末装置から、順次返信された返信信号との比較結果に基づいて、端末装置へ送信する信号に前方誤り訂正コードを付加するか否かを決定する。
【００１４】
この発明の他の局面に従うと、受信した試験信号を返信する信号返信モードおよび送信する信号に前方誤り訂正コードを付加するコード付加モードに設定可能であり、かつ、制御局装置とデータ通信する端末装置であって、制御局装置は、端末装置を信号返信モードに設定するための返信モード設定信号を、端末装置へ送信し、端末装置は、受信した返信モード設定信号に基づいて、信号返信モードに設定するための信号返信モード設定手段を備え、制御局装置は、端末装置が信号返信モードに設定されている場合、試験信号に前方誤り訂正コードを付加した第１の試験信号または試験信号に前方誤り訂正コードを付加しない第２の試験信号を端末装置へ送信し、コード付加モードに設定するためのコード付加設定手段と、信号を送信する信号送信手段とをさらに備え、信号送信手段は、コード付加モードに設定されている間は、制御局装置から受信した、第１の試験信号または第２の試験信号に、前方誤り訂正コードを付加して、制御局装置へ返信し、信号送信手段は、コード付加モードに設定されていない間は、制御局装置から受信した、第１の試験信号または第２の試験信号を、制御局装置へ返信し、制御局装置は、前記端末装置と、主信号によるデータ通信が可能となる前に、端末装置へ送信した送信信号と、送信信号に基づいて端末装置から返信された返信信号との比較結果に基づいて、端末装置へ送信する信号に前方誤り訂正コードを付加するか否かを決定する。
【００１５】
好ましくは、制御局装置は、コード付加モードに設定された第１の状態またはコード付加モードに設定されていない第２の状態のときに、第１の試験信号または第２の試験信号を端末装置へ送信するといった試験信号送信処理を、異なる条件で順次行い、制御局装置は、順次行なわれる試験信号送信処理の前および後に、それぞれ、返信モード設定信号および信号返信モードを解除するための返信モード設定解除信号を、端末装置へ送信し、受信した返信モード設定解除信号に基づいて、信号返信モードの設定を解除するための信号返信モード設定解除手段と、制御局装置から、返信モード設定信号を受信するタイミング毎に、コード付加モードに設定するか否かを順次定めた設定情報を記憶した設定情報記憶手段とをさらに備え、コード付加設定手段は、設定情報に基づいて、コード付加モードに設定する。
【００１６】
この発明のさらに他の局面に従うと、受信した試験信号を返信する信号返信モードおよび送信する信号に前方誤り訂正コードを付加するコード付加モードに設定可能な端末装置と、端末装置とデータ通信する制御局装置とから構成される通信システムであって、制御局装置は、端末装置を信号返信モードに設定するための返信モード設定信号を、端末装置へ送信するための設定信号送信手段と、試験信号に前方誤り訂正コードを付加した第１の試験信号または試験信号に前方誤り訂正コードを付加しない第２の試験信号を端末装置へ送信する試験信号送信手段と、信号返信モードに設定された端末装置が、コード付加モードに設定された第１の状態またはコード付加モードに設定されていない第２の状態のときに試験信号送信手段が送信した送信信号と、送信信号に基づいて試験対象端末装置から返信された返信信号との比較結果に基づいて、端末装置へ送信する信号に前方誤り訂正コードを付加するか否かを決定する送信信号コード付加設定手段とを備え、端末装置は、受信した返信モード設定信号に基づいて、信号返信モードに設定するための信号返信モード設定手段と、コード付加モードに設定するためのコード付加設定手段とを備え、制御局装置と、前記端末装置とが、主信号によるデータ通信が可能となる前に、送信信号コード付加設定手段は、端末装置へ送信する信号に前方誤り訂正コードを付加するか否かを決定する。
【００１７】
この発明のさらに他の局面に従うと、通信システムは、制御局装置と、端末装置とから構成される。
【００１８】
この発明のさらに他の局面に従うと、受信した試験信号を返信する信号返信モードおよび送信する信号に前方誤り訂正コードを付加するコード付加モードに設定可能な端末装置と、データ通信する通信方法は、端末装置を信号返信モードに設定するための返信モード設定信号を、端末装置へ送信する工程と、試験信号に前方誤り訂正コードを付加した第１の試験信号または試験信号に前方誤り訂正コードを付加しない第２の試験信号を端末装置へ送信する工程と、信号返信モードに設定された端末装置が、コード付加モードに設定された第１の状態またはコード付加モードに設定されていない第２の状態のときに試験信号送信手段が送信した送信信号と、送信信号に基づいて端末装置から返信された返信信号との比較結果に基づいて、端末装置へ送信する信号に前方誤り訂正コードを付加するか否かを決定する工程とを含み、端末装置と、主信号によるデータ通信が可能となる前に、前方誤り訂正コードを付加するか否かを決定する工程は、端末装置へ送信する信号に前方誤り訂正コードを付加するか否かを決定する。
【発明の効果】
【００１９】
本発明に係る制御局装置は、端末装置と主信号によるデータ通信が可能となる前に、端末装置から送信された信号に基づいて、端末装置へ送信する信号に前方誤り訂正コードを付加するか否かを決定する。
【００２０】
したがって、主信号によるデータ通信を開始して以降は、主信号の無駄な廃棄を防ぐことができるという効果を奏する。また、エラーレートを通知するためのフレームを伝送する必要がなく、伝送路のスループットの低下を防ぐという効果を奏する。
【００２１】
本発明に係る端末装置は、制御局装置と主信号によるデータ通信が可能となる前に、制御局装置が、端末装置へ送信する信号に前方誤り訂正コードを付加するか否かを決定するために必要な信号を送信する。
【００２２】
したがって、主信号によるデータ通信を開始して以降は、主信号の無駄な廃棄を防ぐことができるという効果を奏する。また、エラーレートを通知するためのフレームを伝送する必要がなく、伝送路のスループットの低下を防ぐという効果を奏する。
【００２３】
本発明に係る通信システムは、端末装置と、制御局装置とから構成される。制御局装置は、端末装置と主信号によるデータ通信が可能となる前に、端末装置から送信された信号に基づいて、端末装置へ送信する信号に前方誤り訂正コードを付加するか否かを決定する。
【００２４】
したがって、主信号によるデータ通信を開始して以降は、主信号の無駄な廃棄を防ぐことができるという効果を奏する。また、エラーレートを通知するためのフレームを伝送する必要がなく、伝送路のスループットの低下を防ぐという効果を奏する。
【００２５】
本発明に係る通信方法は、端末装置と主信号によるデータ通信が可能となる前に、端末装置から送信された信号に基づいて、端末装置へ送信する信号に前方誤り訂正コードを付加するか否かを決定する。
【００２６】
したがって、主信号によるデータ通信を開始して以降は、主信号の無駄な廃棄を防ぐことができるという効果を奏する。また、エラーレートを通知するためのフレームを伝送する必要がなく、伝送路のスループットの低下を防ぐという効果を奏する。
【発明を実施するための最良の形態】
【００２７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２８】
＜第１の実施の形態＞
図１は、本実施の形態における通信システム１０００の構成を示す図である。通信システム１０００は、たとえば、前述のＰＯＮ通信システムである。
【００２９】
図１を参照して、通信システム１０００は、端末装置１００．１，１００．２，・・・，１００．ｎと、光カプラ３００と、制御局装置２００とから構成される。
【００３０】
端末装置１００．１，１００．２，・・・，１００．ｎおよび制御局装置２００は、たとえば、ＩＥＥＥ８０２．３ａｈ標準の１０００ＢＡＳＥ−ＰＸ１０規約に基づく装置である。端末装置１００．１，１００．２，・・・，１００．ｎと、光カプラ３００とは、光ファイバケーブルで接続されている。端末装置１００．１，１００．２，・・・，１００．ｎと、光カプラ３００とは、光ファイバケーブルで接続されている。端末装置１００．１，１００．２，・・・，１００．ｎの各々は、たとえば、ＰＣ（Personal Computer）と接続される。なお、端末装置１００．１，１００．２，・・・，１００．ｎの各々に接続されるＰＣは、１台に限定されることなく、複数台でもよい。なお、端末装置１００．１，１００．２，・・・，１００．ｎの各々に接続される機器は、ＰＣに限定されることなく、セットトップボックス、ＩＰ電話アダプタなどの専用端末およびそれらを束ねるルータ等であってもよい。
【００３１】
光カプラ３００と、制御局装置２００とは、光ファイバケーブルで接続されている。制御局装置２００は、ネットワーク４００と接続される。ネットワーク４００は、インターネットなどの外部のネットワークである。
【００３２】
また、制御局装置２００は、制御局装置２００を操作または設定するためのＰＣ５００が接続される。
【００３３】
なお、通信システム１０００は、前述の構成に限定されることはない。たとえば、１つの端末装置と、１つの制御局装置とが、光カプラを介さずに、光ファイバケーブルで接続される構成でもよい。
【００３４】
以下においては、制御局装置２００と、端末装置１００．１，１００．２，・・・，１００．ｎとの間のデータ（フレーム）が伝送される複数の経路の各々を、論理パス（チャネル）ともいう。また、以下においては、端末装置１００．１，１００．２，・・・，１００．ｎを総括的に、端末装置１００とも記載する。
【００３５】
図２は、端末装置１００の内部構成の一例を示すブロック図である。本発明では、光ファイバケーブルに伝送するデータに対し、ＦＥＣ（Forward Error Correction）処理を行なうためのＦＥＣコードを付加することで、パケットの損失対策を行なうこととする。なお、パケットの損失対策としては、ＦＥＣコードを使用する方法に限定されることなく、他の方法であってもよい。
【００３６】
図２を参照して、端末装置１００は、光送受信部１０５と、ＦＥＣエラー訂正部１１０Ａと、受信部１２０Ａと、共有バッファ１３０と、通信部１３５とを備える。
【００３７】
共有バッファ１３０は、データを一時的に保持する機能を有する。共有バッファ１３０は、通信部１３５とデータの授受を行なう。
【００３８】
光送受信部１０５は、制御局装置２００から送信され、光カプラ３００を介して受信した光信号としての受信フレームを、電気的なデジタルデータに変換して、ＦＥＣエラー訂正部１１０Ａへ送信する。
【００３９】
ＦＥＣエラー訂正部１１０Ａは、光送受信部１０５から受信したデジタルデータとしての受信フレームにＦＥＣコードが付加されている場合、受信フレームが正常であるか否かを判定し、誤りがある場合はＦＥＣコードに基づいて受信フレームを訂正する。そして、付加されているＦＥＣコードを取り除いた、正常な受信フレームまたは訂正した受信フレームを、受信部１２０Ａへ送信する。
【００４０】
ＦＥＣエラー訂正部１１０Ａは、受信フレームにＦＥＣコードが付加されていない場合、当該受信フレームに対して、上記処理を行なうことなく、受信フレームを受信部１２０Ａへ送信する。
【００４１】
受信部１２０Ａは、ＭＡＣ層に相当するものである。受信部１２０Ａは、ＦＥＣエラー訂正部１１０Ａからの受信フレームの識別等の処理を行い、受信フレームがエラーフレームであれば受信フレームを廃棄する。受信部１２０Ａは、受信フレームがエラーフレームでなければ、当該受信フレームを、一旦、共有バッファ１３０に記憶させる。すなわち、ＦＥＣエラー訂正部１１０Ａ、受信部１２０Ａおよび共有バッファ１３０は、制御局装置２００からのデータを受信するための受信パスとして動作する。
【００４２】
通信部１３５は、ＰＣとデータの授受を行なう。
受信部１２０Ａが、共有バッファ１３０に保存したデータは、通信部１３５を介してＰＣへ送信される。
【００４３】
また、通信部１３５に接続されたＰＣから送信され、端末装置１００が受信したデータは、一旦、共有バッファ１３０に記憶される。
【００４４】
端末装置１００は、さらに、制御フレーム処理部１４０と、送信部１２０Ｂと、ＦＥＣコード付加部１１０Ｂと、記憶部１９０とを備える。
【００４５】
記憶部１９０は、データを不揮発的に保持する媒体（たとえば、フラッシュメモリ）である。
【００４６】
制御フレーム処理部１４０は、マイクロプロセッサ（Microprocessor）、プログラミングすることができるＬＳＩ（Large Scale Integration）であるＦＰＧＡ（Field Programmable Gate Array）、特定の用途のために設計、製造される集積回路であるＡＳＩＣ（Application Specific Integrated Circuit）、その他の演算機能を有する回路のいずれであってもよい。
【００４７】
制御フレーム処理部１４０は、ＭＡＣ制御層、ＯＡＭ（Operation Administration and Maintenace）層に相当し、端末装置１００内の各部を制御する機能を有する。制御フレーム処理部１４０は、制御局装置２００とのアクセス制御、端末装置１００の登録処理、端末装置１００の各種設定・管理、後述するループバック試験などを行なうための制御を行なう。
【００４８】
また、制御フレーム処理部１４０は、記憶部１９０にデータアクセスし、各種データ、各種設定データ等を記憶部１９０から読み出したり、各種データ、各種設定データ等を記憶部１９０に記憶させたりする。
【００４９】
ループバック試験は、通信システム１０００内に新たな機器（以下、新規追加機器ともいう）を接続した場合に、新規追加機器が、制御局装置２００と正常にデータ通信できるか否かを検証するための試験として行なわれる。また、ループバック試験は、通信システム１０００のメンテナンス時等に行なわれる試験である。ここで、メンテナンスとは、通信システム１０００内の端末装置１００．１，１００．２，・・・，１００．ｎ各々と、制御局装置２００との間で正常にデータ通信ができるか否の検証等である。ループバック試験は、端末装置１００と、制御局装置２００との間で、ループバック試験を行なうためのフレームの授受により行なわれる。
【００５０】
端末装置１００は、論理パス（たとえば、制御局装置２００と端末装置１００．１との間の論理パス）を介して、ループバック試験を行なうループバック試験モードと、論理パスを介して、通常のデータ通信を行なう通常モードとの２つのモードを有する。ここで、論理パスとは、たとえば、制御局装置２００と端末装置１００．１との間の論理パスである。以下においては、制御局装置２００と１つの端末装置１００との間の論理パスを論理パスＡともいう。
【００５１】
制御局装置２００から送信され、光カプラ３００を介して受信した制御フレームは、受信部１２０Ａによって、識別処理がされ、共有バッファ１３０に、分別されて記憶される。
【００５２】
制御フレーム処理部１４０は、共有バッファ１３０に記憶された制御フレームを解析する処理を行なう。共有バッファ１３０に、ループバック試験モードに設定するための制御フレームが記憶されると、制御フレーム処理部１４０は、端末装置１００を前述のループバック試験モードに設定する。また、制御フレーム処理部１４０は、送信部１２０Ｂへ、フレームを読み出させるための制御指示（以下、フレーム読出指示ともいう）を送信する。
【００５３】
送信部１２０Ｂは、ＭＡＣ層に相当するものである。送信部１２０Ｂは、共有バッファ１３０に記憶されたフレームを随時読出し、ＦＣＳ（Frame Check Sequence）等を整えたのち、ＦＥＣコード付加部１１０Ｂへ送信する。
【００５４】
また、送信部１２０Ｂは、制御フレーム処理部１４０からフレーム読出指示が与えられると、当該フレーム読出指示に対応するフレームを、共有バッファ１３０から読出し、ＦＣＳ等を整えたのち、ＦＥＣコード付加部１１０Ｂへ送信する。
【００５５】
端末装置１００がループバック試験モードに設定されている間は、端末装置１００が、論理パスＡ（制御局装置２００と端末装置１００との間の論理パス）を介して受信したフレームは、一旦、共有バッファ１３０に記憶され、その後、論理パスＡを介して、制御局装置２００へ返信（送信）される。
【００５６】
ＦＥＣコード付加部１１０Ｂは、制御フレーム処理部１４０により、指定された論理パスを介して制御局装置２００へ送信するフレームに対し、ＦＥＣコードを付加するモード（以下、ＦＥＣコード付加モードともいう）およびＦＥＣコードを付加しないモード（以下、ＦＥＣコードなしモードともいう）のいずれかに設定される。ＦＥＣコード付加部１１０Ｂは、ＦＥＣコード付加モードに設定されると、指定された１以上の論理パスに伝送させるデータ（フレーム）に対してのみ、ＦＥＣコードを付加することになる。
【００５７】
ＦＥＣコード付加部１１０Ｂは、ＦＥＣコード付加モードに設定されている場合、ＦＥＣコードを生成し、当該生成したＦＥＣコードを送信フレームに付加し、ＦＥＣコードを付加した送信フレームを、光送受信部１０５へ送信する。
【００５８】
光送受信部１０５は、受信した電気的なデジタルデータとしての送信フレームを、光信号に変換して、論理パスＡを介して、制御局装置２００へ送信する。
【００５９】
ＦＥＣコード付加部１１０Ｂは、ＦＥＣコード付加モードに設定されていない場合、送信部１２０Ｂから受信したフレームを、そのまま、光送受信部１０５および論理パスＡを介して、制御局装置２００へ送信する。
【００６０】
すなわち、共有バッファ１３０、送信部１２０Ｂ、ＦＥＣコード付加部１１０Ｂおよび光送受信部１０５は、データを制御局装置２００へ送信するための送信パスとして動作する。
【００６１】
図３は、制御局装置２００の内部構成の一例を示すブロック図である。
図３を参照して、制御局装置２００は、光送受信部２０５と、ＦＥＣエラー訂正部２１０Ａと、受信部２２０Ａと、受信バッファ２３０Ａと、通信部２３５とを備える。
【００６２】
受信バッファ２３０Ａは、データを一時的に保持する機能を有する。受信バッファ２３０Ａは、通信部２３５と接続されている。
【００６３】
通信部２３５は、ネットワーク４００とデータの授受を行なう。
光送受信部２０５は、論理パスＡを介して受信した光信号としての受信フレームを、電気的なデジタルデータに変換して、ＦＥＣエラー訂正部２１０Ａへ送信する。
【００６４】
ＦＥＣエラー訂正部２１０Ａは、光送受信部２０５からの受信フレームにＦＥＣコードが付加されている場合、受信フレームが正常であるか否かを判定し、誤りがある場合はＦＥＣコードに基づいて受信フレームを訂正する。そして、付加されているＦＥＣコードを取り除いた、正常な受信フレームまたは訂正した受信フレームを、受信部２２０Ａへ送信する。
【００６５】
ＦＥＣエラー訂正部２１０Ａは、光送受信部２０５および論理パスＡを介して受信した受信フレームにＦＥＣコードが付加されていない場合、当該受信フレームに対して、上記処理を行なうことなく、受信フレームを受信部２２０Ａへ送信する。
【００６６】
受信部２２０Ａは、ＭＡＣ層に相当するものである。受信部２２０Ａは、ＦＥＣエラー訂正部２１０Ａからの受信フレームの識別等の処理を行い、受信フレームがエラーフレームであれば受信フレームを廃棄する。受信部２２０Ａは、受信フレームがエラーフレームでなければ、当該受信フレームを、一旦、受信バッファ２３０Ａに記憶させる。すなわち、光送受信部２０５、ＦＥＣエラー訂正部２１０Ａ、受信部２２０Ａおよび受信バッファ２３０Ａは、端末装置１００からのデータを受信するための受信パスとして動作する。
【００６７】
受信部２２０Ａが、受信バッファ２３０Ａに記憶させたデータは、通常、通信部２３５を介して、ネットワーク４００へ送信される。
【００６８】
制御局装置２００は、さらに、送信バッファ２３０Ｂと、制御フレーム処理部２４０と、ループバック試験処理部２５０と、送信部２２０Ｂと、ＦＥＣコード付加部２１０Ｂと、通信部２６０と、設定記憶部２９０とを備える。制御局装置２００は、論理パスを介して、ループバック試験を行なうループバック試験モードと、論理パスを介して、通常のデータ通信を行なう通常モードとの２つのモードを有する。
【００６９】
通信部２３５は、ネットワーク４００とデータの授受を行なう。
送信バッファ２３０Ｂは、データを一時的に保持する機能を有する。ネットワーク４００から、通信部２３５を介して受信したフレームは、一旦、送信バッファ２３０Ｂに記憶される。
【００７０】
設定記憶部２９０は、データを不揮発的に保持する媒体（たとえば、フラッシュメモリ）である。
【００７１】
通信部２６０は、ＰＣ５００と接続される。ＰＣ５００は、オペレータが操作するＰＣである。通信部２６０は、ＰＣ５００とデータの授受を行なう。
【００７２】
制御フレーム処理部２４０は、前述の制御フレーム処理部１４０と同様なものである。制御フレーム処理部２４０は、ＭＡＣ制御層、ＯＡＭ層に相当し、制御局装置２００内の各部を制御する機能を有する。制御フレーム処理部２４０は、端末装置１００とのアクセス制御、端末装置１００の登録処理、端末装置１００の各種設定・管理、前述のループバック試験などを行なうための制御を行なう。
【００７３】
また、制御フレーム処理部２４０は、設定記憶部２９０にデータアクセスし、各種データ、各種設定データ等を設定記憶部２９０から読み出したり、各種データ、各種設定データ等を設定記憶部２９０に記憶させたりする。
【００７４】
端末装置１００から、論理パスＡを介して、受信された制御フレームは、受信部２２０Ａによって、識別処理がされ、受信バッファ２３０Ａに、分別されて記憶される。
【００７５】
制御フレーム処理部２４０は、受信バッファ２３０Ａに記憶された制御フレームを解析する処理を行なう。また、制御フレーム処理部２４０は、送信部２２０Ｂへ、フレーム読出指示を送信する。
【００７６】
送信部２２０Ｂは、ＭＡＣ層に相当するものである。送信部２２０Ｂは、送信バッファ２３０Ｂに記憶されたフレームを随時読出し、ＦＣＳ等を整えたのち、ＦＥＣコード付加部２１０Ｂへ送信する。
【００７７】
また、送信部２２０Ｂは、制御フレーム処理部２４０から送信指示が与えられると送信指示に対応するフレームを、送信バッファ２３０Ｂから読出し、ＦＣＳ等を整えたのち、ＦＥＣコード付加部２１０Ｂへ送信する。
【００７８】
制御フレーム処理部２４０は、送信フレームを伝送する論理パス（送信フレームの宛先）毎、すなわち、端末装置１００．１，１００．２，・・・，１００．ｎ毎の送信フレームに対して、ＦＥＣコードを付加するか否かを決定し、ＦＥＣコード付加部２１０Ｂを、ＦＥＣコード付加モードおよびＦＥＣコードなしモードのいずれかに設定する。ＦＥＣコード付加モードに設定されたＦＥＣコード付加部２１０Ｂは、指定された１以上の論理パスを伝送させるフレームに対してのみＦＥＣコードを付加する。
【００７９】
ＦＥＣコード付加部２１０Ｂは、ＦＥＣコード付加モードに設定されている場合、ＦＥＣコードを生成し、当該生成したＦＥＣコードを送信フレームに付加し、ＦＥＣコードを付加した送信フレームを、光送受信部２０５へ送信する。
【００８０】
光送受信部２０５は、受信した電気的なデジタルデータとしての送信フレームを、光信号に変換して、論理パスＡを介して、１つの端末装置１００へ送信する。
【００８１】
ＦＥＣコード付加部２１０Ｂは、ＦＥＣコード付加モードに設定されていない場合、送信部２２０Ｂから受信したフレームを、そのまま、光送受信部２０５および論理パスＡを介して、１つの端末装置１００へ送信する。
【００８２】
すなわち、送信バッファ２３０Ｂ、送信部２２０Ｂ、ＦＥＣコード付加部２１０Ｂおよび光送受信部２０５は、データを端末装置１００へ送信するための送信パスとして動作する。
【００８３】
ループバック試験処理部２５０は、前述の制御フレーム処理部１４０と同様なものである。ループバック試験処理部２５０は、受信バッファ２３０Ａに保存されたフレームを解析する処理を行なう。
【００８４】
また、ループバック試験処理部２５０は、ＰＣ５００から、通信部２６０を介して、制御局装置２００を、前述のループバック試験モードに設定するためのループバック試験指示を受信する。ループバック試験指示には、ループバック試験を行なう論理パスの情報が含まれる。ループバック試験処理部２５０は、ループバック試験指示を受信すると、制御局装置２００をループバック試験モードに設定する。制御局装置２００は、ループバック試験モードに設定されると、ループバック試験指示により指定された論理パスにおいて、ループバック試験を行なう。
【００８５】
また、ループバック試験処理部２５０は、ループバック試験指示を受信し、後述する所定条件Ａが成立すると、ループバック試験を行なうためのループバック試験フレームを生成し、送信バッファ２３０Ｂに記憶させる。ループバック試験フレームは、送り先、送り元等を示すヘッダ部と、データ部とから構成される。
【００８６】
また、ループバック試験処理部２５０は、論理パス毎、すなわち、ループバック試験フレームを送信する端末装置１００．１，１００．２，・・・，１００．ｎ毎に、ＦＥＣコード付加部２１０Ｂを、ＦＥＣコード付加モードまたはＦＥＣコードなしモードのいずれかに設定させるための制御指示を制御フレーム処理部２４０へ送る。
【００８７】
制御フレーム処理部２４０は、ループバック試験処理部２５０からの当該制御指示に応じて、ＦＥＣコード付加部２１０Ｂを、ＦＥＣコード付加モードまたはＦＥＣコードなしモードのいずれかに設定する。
【００８８】
また、ループバック試験処理部２５０は、送信部２２０Ｂへ、送信バッファ２３０Ｂからループバック試験フレームを読み出すためのループバック試験フレーム読出指示を送信する。
【００８９】
送信部２２０Ｂは、ループバック試験フレーム読出指示を受信すると、送信バッファ２３０Ｂからループバック試験フレームを読み出し、ＦＥＣコード付加部２１０Ｂへ送信する。
【００９０】
ＦＥＣコード付加部２１０Ｂは、論理パス毎のモードに応じて、ＦＥＣコードを付加または付加していないループバック試験フレームを、光送受信部２０５および論理パスＡを介して、指定された１つの端末装置１００へ送信する。
【００９１】
ループバック試験では、ループバック試験処理部２５０が、生成した複数のループバック試験フレームを、指定された１つの端末装置１００へ送信し、指定された１つの端末装置１００から返信されてきた複数のループバック試験フレームとの比較を行なうことで、指定された１つの端末装置１００と、制御局装置２００とが正常にデータ通信できているか否かを判定する。なお、複数のループバック試験フレームを、総括的に、ループバック試験信号ともいう。すなわち、ループバック試験信号は、複数のループバック試験フレームから構成される。
【００９２】
なお、図３では、制御フレーム処理部２４０と、ループバック試験処理部２５０とは、独立した専用回路のように表記されている。しかしながら、制御局装置２００は、制御フレーム処理部２４０およびループバック試験処理部２５０の代わりに、制御フレーム処理部２４０およびループバック試験処理部２５０の両方の機能を有し、ソフトウエアで動作する１つのプロセッサを用いてもよい。
【００９３】
次に、通信システム１０００に、新たな端末装置１００を追加した場合、ループバック試験を使用して、新たな端末装置１００と、制御局装置２００との間で授受するフレームにＦＥＣコードを付加する必要か否かを判定するＦＥＣコード付加判定処理について説明する。本実施の形態では、新たな端末装置１００は、端末装置１００．ｎであるとする。以下においては、制御局装置２００と端末装置１００．ｎとの間の論理パスを、論理パスｎともいう。
【００９４】
ＦＥＣコード付加判定処理は、フレームを制御局装置２００から端末装置１００へ送信する方向（以下、下り方向ともいう）およびフレームを端末装置１００から制御局装置２００へ送信する方向（以下、上り方向ともいう）の各々において、ＦＥＣコードを付加する必要性があるか否かを判定する処理である。
【００９５】
フレームにＦＥＣコードを付加するか否かの組合せは、（下り方向のフレームに付加、上り方向のフレームに付加）、（下り方向のフレームに付加せず、上り方向のフレームに付加）、（下り方向のフレームに付加、上り方向のフレームに付加せず）、（下り方向のフレームに付加せず、上り方向のフレームに付加せず）の４通りとなる。
【００９６】
したがって、これらの組合せの数だけ、ループバック試験を行なうことで、端末装置１００．ｎと、制御局装置２００との間で授受するフレームにＦＥＣコードを付加するか否かの最適な組合せが判断できる。なお、当該最適な組合せは、組合せの数よりも少ない数で、判断できる場合もある。
【００９７】
図４は、第１の実施の形態におけるＦＥＣコード付加判定処理のフローチャートである。なお、ＦＥＣコード付加判定処理が行なわれている間、制御局装置２００と、他の端末装置との間で、データ通信が行なわれていても構わない。
【００９８】
図４を参照して、制御局装置２００では、まず、ステップＳ２００の処理が行なわれる。ステップＳ２００では、ループバック試験モード設定処理Ａが行なわれる。ループバック試験モード設定処理Ａでは、ループバック試験処理部２５０が、オペレータに操作されたＰＣ５００から、通信部２６０を介して、制御局装置２００をループバック試験モードに設定するためのループバック試験指示を受信する。ループバック試験指示は、論理パスｎに対してのみループバック試験を行なわせるためのフレームである。
【００９９】
ループバック試験処理部２５０は、ループバック試験指示を受信すると、制御局装置２００をループバック試験モードに設定する。ループバック試験モードに設定された制御局装置２００は、論理パスｎに対してのみループバック試験を行なう。
【０１００】
次に、ループバック試験処理部２５０が、端末装置１００．ｎをループバック試験モードに設定するためのフレーム（以下、ループバック試験モード設定フレームともいう）を生成し、送信バッファ２３０Ｂに記憶させる。なお、ループバック試験モード設定フレームは、論理パスｎに対してのみループバック試験を行なわせるためのフレームである。
【０１０１】
また、ループバック試験処理部２５０は、ＦＥＣコード付加部２１０Ｂを、論理パスｎについて、ＦＥＣコード付加モードに設定させるための制御指示を、制御フレーム処理部２４０へ送信する。制御フレーム処理部２４０は、ループバック試験処理部２５０からの当該制御指示に応じて、ＦＥＣコード付加部２１０Ｂを、論理パスｎについて、前述のＦＥＣコード付加モードに設定する。ＦＥＣコード付加部２１０Ｂは、ＦＥＣコード付加モードに設定されている論理パスに伝送させるデータ（フレーム）に対してのみ、ＦＥＣコードを付加することになる。
【０１０２】
また、ループバック試験処理部２５０は、送信バッファ２３０Ｂからループバック試験モード設定フレームを読み出すためのループバック試験モード設定フレーム読出指示を、送信部２２０Ｂへ送信する。
【０１０３】
送信部２２０Ｂは、ループバック試験モード設定フレーム読出指示を受信すると、送信バッファ２３０Ｂからループバック試験モード設定フレームを読み出し、ＦＥＣコード付加部２１０Ｂへ送信する。
【０１０４】
ＦＥＣコード付加モードに設定されたＦＥＣコード付加部２１０Ｂは、ループバック試験モード設定フレームに、ＦＥＣコードを付加し、当該ＦＥＣコードを付加したループバック試験モード設定フレームを、光送受信部２０５および論理パスｎを介して、端末装置１００．ｎへ送信する。
【０１０５】
なお、ステップＳ２００においては、ＦＥＣコード付加部２１０Ｂは、ＦＥＣコードなしモードに設定されていてもよい。
【０１０６】
端末装置１００．ｎでは、ループバック試験モード設定フレームを受信することで、ループバック試験モード設定処理Ｂが行なわれる。ループバック試験モード設定処理Ｂでは、まず、ＦＥＣエラー訂正部１１０Ａが、論理パスｎを介して、制御局装置２００から送信されたループバック試験モード設定フレームを受信し、ＦＥＣコードが付加されている場合、受信フレームが正常であるか否かを判定し、誤りがある場合はＦＥＣコードに基づいて受信フレームを訂正する。そして、付加されているＦＥＣコードを取り除いた、正常なまたは訂正したループバック試験モード設定フレームを受信部１２０Ａへ送信する。
【０１０７】
ＦＥＣエラー訂正部１１０Ａは、ループバック試験モード設定フレームにＦＥＣコードが付加されていない場合、当該ループバック試験モード設定フレームに対して、上記処理を行なうことなく、受信部１２０Ａへ送信する。
【０１０８】
受信部１２０Ａは、受信したループバック試験モード設定フレームを共有バッファ１３０に記憶させる。
【０１０９】
共有バッファ１３０にループバック試験モード設定フレームが記憶されると、制御フレーム処理部１４０は、端末装置１００．ｎをループバック試験モードに設定する。ループバック試験モードに設定された端末装置１００．ｎは、論理パスｎから受信したフレームを論理パスｎに送り返す。
【０１１０】
次に、端末装置１００．ｎでは、設定完了フレームの送信が行なわれる。具体的には、まず、制御フレーム処理部１４０が、端末装置１００．ｎをループバック試験モードに設定した旨を示す設定完了フレームを生成し、共有バッファ１３０に記憶させる。
【０１１１】
また、制御フレーム処理部１４０は、ＦＥＣコード付加部１１０Ｂを、ＦＥＣコード付加モードに設定する。この場合、ＦＥＣコード付加部１１０Ｂは、論理パスｎを伝送させるフレームに対してのみＦＥＣコードを付加する。
【０１１２】
また、制御フレーム処理部１４０は、共有バッファ１３０から設定完了フレームを読み出すための設定完了フレーム読出指示を、送信部１２０Ｂへ送信する。
【０１１３】
送信部１２０Ｂは、設定完了フレーム読出指示を受信すると、共有バッファ１３０から設定完了フレームを読み出し、ＦＥＣコード付加部１１０Ｂへ送信する。
【０１１４】
ＦＥＣコード付加モードに設定されたＦＥＣコード付加部１１０Ｂは、設定完了フレームに、ＦＥＣコードを付加し、当該ＦＥＣコードを付加した設定完了フレームを、光送受信部１０５および論理パスｎを介して、制御局装置２００へ送信する。
【０１１５】
制御局装置２００では、ステップＳ２００の処理の後、ステップＳ２１０に進む。
ステップＳ２１０では、設定完了フレームを受信したか否かが判定される。具体的には、ループバック試験処理部２５０が、前述したＦＥＣエラー訂正部２１０Ａおよび受信部２２０Ａの処理により、端末装置１００．ｎから送信された設定完了フレームが受信バッファ２３０Ａに記憶されたか否かを判定する。
【０１１６】
ステップＳ２１０において、ＹＥＳならば、ステップＳ２２０に進む。この場合、前述した所定条件Ａが成立したことになる。所定条件Ａは、制御局装置２００および端末装置１００．ｎが、論理パスｎを伝送させるフレームに対してのみループバック試験を行なうループバック試験モードに設定されたという条件である。一方、ステップＳ２１０において、ＮＯならば、再度、ステップＳ２１０の処理が行なわれる。
【０１１７】
ステップＳ２２０では、下り方向ＦＥＣコードなし、上り方向ＦＥＣコードなしという条件で、ループバック試験処理を行なう。
【０１１８】
まず、ループバック試験処理部２５０が、端末装置１００．ｎ内のＦＥＣコード付加部１１０Ｂを、ＦＥＣコードなしモードに設定するための端末装置ＦＥＣコードなしモード設定フレームを生成し、送信バッファ２３０Ｂに記憶させる。端末装置ＦＥＣコードなしモード設定フレームは、ＦＥＣコード付加部１１０Ｂを、論理パスｎを伝送させるフレームに対してＦＥＣコードを付加しないように設定するためのフレームである。
【０１１９】
また、ループバック試験処理部２５０は、送信バッファ２３０Ｂから端末装置ＦＥＣコードなしモード設定フレームを読み出すための端末装置ＦＥＣコードなしモード設定フレーム読出指示を、送信部２２０Ｂへ送信する。
【０１２０】
送信部２２０Ｂは、端末装置ＦＥＣコードなしモード設定フレーム読出指示を受信すると、送信バッファ２３０Ｂから端末装置ＦＥＣコードなしモード設定フレームを読み出し、ＦＥＣコード付加部２１０Ｂへ送信する。
【０１２１】
ＦＥＣコード付加モードに設定されたＦＥＣコード付加部２１０Ｂは、端末装置ＦＥＣコードなしモード設定フレームに、ＦＥＣコードを付加し、当該ＦＥＣコードを付加した端末装置ＦＥＣコードなしモード設定フレームを、光送受信部２０５および論理パスｎ介して、端末装置１００．ｎへ送信する。
【０１２２】
端末装置１００．ｎでは、上り方向ＦＥＣコードなしで、ループバック試験処理が行なわれる。具体的には、制御フレーム処理部１４０が、ＦＥＣエラー訂正部１１０Ａおよび受信部１２０Ａの前述したのと同様な処理により、端末装置端末装置ＦＥＣコードなしモード設定フレームが、共有バッファ１３０に記憶されたと判定すると、制御フレーム処理部１４０は、ＦＥＣコード付加部１１０Ｂを、ＦＥＣコードなしモードに設定する。この場合、ＦＥＣコードなしモードに設定されたＦＥＣコード付加部１１０Ｂは、論理パスｎを伝送させるフレームに対してＦＥＣコードを付加しない。
【０１２３】
また、制御フレーム処理部１４０が、ＦＥＣコード付加部１１０Ｂを、ＦＥＣコードなしモードに設定した旨を示すＦＥＣコードなしモード設定完了フレームを生成し、共有バッファ１３０に記憶させる。
【０１２４】
次に、制御フレーム処理部１４０、送信部１２０ＢおよびＦＥＣコード付加部１１０Ｂの前述したのと同様な処理により、共有バッファ１３０に記憶されたＦＥＣコードなしモード設定完了フレームは、論理パスｎを介して、制御局装置２００へ送信される。
【０１２５】
その後、制御局装置２００では、ＦＥＣエラー訂正部２１０Ａおよび受信部２２０Ａの前述したのと同様な処理により、端末装置１００．ｎから送信されたＦＥＣコードなしモード設定完了フレームが受信バッファ２３０Ａに記憶されたとループバック試験処理部２５０が判定すると以下の処理が行なわれる。ループバック試験処理部２５０は、ＦＥＣコード付加部２１０Ｂを、論理パスｎを伝送させるフレームに対してＦＥＣコードを付加しないＦＥＣコードなしモードに設定させるための制御指示を、制御フレーム処理部２４０へ送信する。制御フレーム処理部２４０は、ループバック試験処理部２５０からの当該制御指示に応じて、ＦＥＣコード付加部２１０Ｂを、ＦＥＣコードなしモードに設定する。この場合、ＦＥＣコードなしモードに設定されたＦＥＣコード付加部２１０Ｂは、論理パスｎを伝送させるフレームに対してＦＥＣコードを付加しない。
【０１２６】
次に、ループバック試験処理部２５０は、ループバック試験を行なうための複数のループバック試験フレームを生成し、送信バッファ２３０Ｂに記憶させる。なお、前述したように、複数のループバック試験フレームは、１つのループバック試験信号である。
【０１２７】
また、ループバック試験処理部２５０は、送信バッファ２３０Ｂから複数のループバック試験フレームを順次読み出すためのループバック試験フレーム読出指示を、送信部２２０Ｂへ送信する。
【０１２８】
送信部２２０Ｂは、ループバック試験フレーム読出指示を受信すると、送信バッファ２３０Ｂから複数のループバック試験フレームを順次読み出し、ＦＥＣコードなしモードに設定されたＦＥＣコード付加部２１０Ｂへ送信する。
【０１２９】
ＦＥＣコードなしモードに設定されたＦＥＣコード付加部２１０Ｂは、ＦＥＣコードを付加していない複数のループバック試験フレームを、順次、光送受信部２０５および論理パスｎを介して、端末装置１００．ｎへ送信する。
【０１３０】
その後、端末装置１００．ｎでは、制御フレーム処理部１４０が、ＦＥＣエラー訂正部１１０Ａおよび受信部１２０Ａの前述したのと同様な処理により、ループバック試験フレームが、共有バッファ１３０に記憶されたと判定すると、共有バッファ１３０からループバック試験フレームを読み出すためのループバック試験フレーム読出指示を、送信部１２０Ｂへ送信する。なお、共有バッファ１３０には、複数のループバック試験フレームが順次記憶される。
【０１３１】
送信部１２０Ｂは、ループバック試験フレーム読出指示を受信すると、共有バッファ１３０から複数のループバック試験フレームを順次読み出し、ＦＥＣコードなしモードに設定されたＦＥＣコード付加部１１０Ｂへ順次送信する。
【０１３２】
ＦＥＣコードなしモードに設定されたＦＥＣコード付加部１１０Ｂは、ＦＥＣコードを付加していない複数のループバック試験フレームを、順次、光送受信部１０５および論理パスｎを介して、制御局装置２００へ送信する。
【０１３３】
その後、制御局装置２００では、ＦＥＣエラー訂正部２１０Ａおよび受信部２２０Ａの前述したのと同様な処理により、端末装置１００．ｎから順次送信された複数のループバック試験フレームが受信バッファ２３０Ａに記憶されたと、ループバック試験処理部２５０が判定すると、ステップＳ２２２に進む。
【０１３４】
ステップＳ２２２では、下り方向ＦＥＣコードなし、上り方向ＦＥＣコードなしという条件におけるループバック試験処理が成功したか否かが判定される。具体的には、ループバック試験処理部２５０が、生成した複数のループバック試験フレームの各々のデータ部（以下、オリジナルデータ部ともいう）と、生成した複数のループバック試験フレームを端末装置１００．ｎへ送信した後に、受信バッファ２３０Ａに記憶された複数のループバック試験フレームの各々のデータ部（以下、ループバック後データ部ともいう）とが一致するか否かを判定する。なお、前述したように、複数のループバック試験フレームは、１つのループバック試験信号である。
【０１３５】
複数のオリジナルデータ部と、複数のループバック後データ部とが、それぞれ、一致していた場合、ループバック試験において、制御局装置２００と、端末装置１００．ｎとの間で、正常にデータ通信ができたということになる。一方、複数のオリジナルデータ部と、複数のループバック後データ部とが１つでも一致していない場合、ループバック試験において、制御局装置２００と、端末装置１００．ｎとの間で、正常にデータ通信ができなかったということになる。
【０１３６】
ステップＳ２２２において、ＹＥＳならば、ステップＳ２２４に進む。一方、ステップＳ２２２において、ＮＯならば、ステップＳ２３０に進む。
【０１３７】
ステップＳ２２４では、制御フレーム処理部２４０が、ＦＥＣコード付加部２１０Ｂを、論理パスｎを伝送させるフレームに対してＦＥＣコードを付与しないＦＥＣコードなしモードに設定する。制御フレーム処理部２４０は、当該設定データを設定記憶部２９０に記憶させる。その後、ループバック試験モード解除処理が行なわれる。
【０１３８】
ループバック試験モード解除処理では、ループバック試験処理部２５０が、端末装置１００．ｎ（以下、新規追加端末装置ともいう）のループバック試験モードを解除するためのフレームを、端末装置１００．ｎへ送信することで、端末装置１００．ｎのループバック試験モードを解除する。また、ループバック試験処理部２５０は、制御局装置２００のループバック試験モードを解除する。その後、ステップＳ２３５Ａに進む。
【０１３９】
ステップＳ２３５Ａでは、開通処理が行なわれる。開通処理では、ループバック試験処理部２５０が、論理パスｎに主信号としてのフレームを伝送可能となった旨を示す開通指示フレームを、端末装置１００．ｎへ送信する。端末装置１００．ｎでは、受信した開通指示フレームに基づいて、制御フレーム処理部１４０が以下の処理を行なう。制御フレーム処理部１４０は、ＦＥＣコード付加部１１０Ｂを、論理パスｎを伝送させるフレームに対してＦＥＣコードを付与しないＦＥＣコードなしモードに設定する。その後、このＦＥＣコード付加判定処理は終了する。
【０１４０】
以上の処理により、端末装置１００．ｎ（新規追加端末装置）と、制御局装置２００との間で主信号のデータ通信は、論理パスｎを介して、下り方向ＦＥＣコードなし、上り方向ＦＥＣコードなしという設定で行なわれる。
【０１４１】
ステップＳ２３０では、下り方向ＦＥＣコード付与、上り方向ＦＥＣコードなしで、ループバック試験処理を行なう。まず、ループバック試験処理部２５０は、ＦＥＣコード付加部２１０Ｂを、論理パスｎを伝送させるフレームに対してＦＥＣコードを付与するＦＥＣコード付加モードに設定させるための制御指示を、制御フレーム処理部２４０へ送信する。制御フレーム処理部２４０は、ループバック試験処理部２５０からの当該制御指示に応じて、ＦＥＣコード付加部２１０Ｂを、ＦＥＣコード付加モードに設定する。
【０１４２】
次に、ループバック試験処理部２５０は、ループバック試験を行なうための複数のループバック試験フレームを生成し、送信バッファ２３０Ｂに記憶させる。
【０１４３】
また、ループバック試験処理部２５０は、送信バッファ２３０Ｂから複数のループバック試験フレームを順次読み出すためのループバック試験フレーム読出指示を、送信部２２０Ｂへ送信する。
【０１４４】
送信部２２０Ｂは、ループバック試験フレーム読出指示を受信すると、送信バッファ２３０Ｂから複数のループバック試験フレームを順次読み出し、ＦＥＣコード付加モードに設定されたＦＥＣコード付加部２１０Ｂへ順次送信する。
【０１４５】
ＦＥＣコード付加モードに設定されたＦＥＣコード付加部２１０Ｂは、受信した複数のループバック試験フレームにＦＥＣコードを付加して、順次、光送受信部２０５および論理パスｎを介して、端末装置１００．ｎへ送信する。
【０１４６】
その後、端末装置１００．ｎでは、前述したのと同様、上り方向ＦＥＣコードなしで、ループバック試験処理が行なわれる。複数のループバック試験フレームを受信して、制御局装置２００へ送り返す処理は、前述した処理と同様なので詳細な説明は繰り返さない。
【０１４７】
その後、制御局装置２００では、ＦＥＣエラー訂正部２１０Ａおよび受信部２２０Ａの前述したのと同様な処理により、端末装置１００．ｎから順次送信された複数のループバック試験フレームが受信バッファ２３０Ａに記憶されたと、ループバック試験処理部２５０が判定すると、ステップＳ２３２に進む。
【０１４８】
ステップＳ２３２では、下り方向ＦＥＣコード付与、上り方向ＦＥＣコードなしという条件におけるループバック試験処理が成功したか否かが判定される。具体的には、ステップＳ２２２の処理と同様、ループバック試験処理部２５０が、複数のオリジナルデータ部と、複数のループバック後データ部とが一致するか否かを判定する。
【０１４９】
ステップＳ２３２において、ＹＥＳならば、ステップＳ２３４に進む。一方、ステップＳ２３２において、ＮＯならば、ステップＳ２４０に進む。
【０１５０】
ステップＳ２３４では、制御フレーム処理部２４０が、ＦＥＣコード付加部２１０Ｂを、論理パスｎを伝送させるフレームに対してＦＥＣコードを付与するＦＥＣコード付加モードに設定する。制御フレーム処理部２４０は、当該設定データを設定記憶部２９０に記憶させる。その後、前述のループバック試験モード解除処理が行なわれる。その後、ステップＳ２３５Ｂに進む。
【０１５１】
ステップＳ２３５Ｂでは、前述のステップＳ２３５Ａと同様な開通処理が行なわれるので詳細な説明は繰り返さない。その後、このＦＥＣコード付加判定処理は終了する。
【０１５２】
以上の処理により、端末装置１００．ｎ（新規追加端末装置）と、制御局装置２００との間で主信号のデータ通信は、論理パスｎを介して、下り方向ＦＥＣコード付与、上り方向ＦＥＣコードなしという設定で行なわれる。
【０１５３】
ステップＳ２４０では、下り方向ＦＥＣコードなし、上り方向ＦＥＣコード付与という条件で、ループバック試験処理を行なう。まず、ループバック試験処理部２５０が、端末装置１００．ｎ内のＦＥＣコード付加部１１０Ｂを、論理パスｎを伝送させるフレームに対してＦＥＣコードを付与するＦＥＣコード付加モードに設定するための端末装置ＦＥＣコード付加モード設定フレームを生成し、送信バッファ２３０Ｂに記憶させる。
【０１５４】
また、ループバック試験処理部２５０は、送信バッファ２３０Ｂから端末装置ＦＥＣコード付加モード設定フレームを読み出すための端末装置ＦＥＣコード付加モード設定フレーム読出指示を、送信部２２０Ｂへ送信する。
【０１５５】
送信部２２０Ｂは、端末装置ＦＥＣコード付加モード設定フレーム読出指示を受信すると、送信バッファ２３０Ｂから端末装置ＦＥＣコード付加モード設定フレームを読み出し、ＦＥＣコード付加部２１０Ｂへ送信する。
【０１５６】
ＦＥＣコード付加モードに設定されたＦＥＣコード付加部２１０Ｂは、端末装置端末装置ＦＥＣコード付加モード設定フレームに、ＦＥＣコードを付加し、当該ＦＥＣコードを付加した端末装置ＦＥＣコード付加モード設定フレームを、光送受信部２０５および論理パスｎ介して、端末装置１００．ｎを介して、端末装置１００．ｎへ送信する。
【０１５７】
端末装置１００．ｎでは、上り方向ＦＥＣコード付与で、ループバック試験処理が行なわれる。具体的には、制御フレーム処理部１４０が、ＦＥＣエラー訂正部１１０Ａおよび受信部１２０Ａの前述したのと同様な処理により、端末装置ＦＥＣコード付加モード設定フレームが、共有バッファ１３０に記憶されたと判定すると、制御フレーム処理部１４０は、ＦＥＣコード付加部１１０Ｂを、ＦＥＣコード付加モードに設定する。この場合、ＦＥＣコード付加モードに設定されたＦＥＣコード付加部１１０Ｂは、論理パスｎを伝送させるフレームに対してＦＥＣコードを付与する。
【０１５８】
また、制御フレーム処理部１４０が、ＦＥＣコード付加部１１０Ｂを、ＦＥＣコード付加モードに設定した旨を示すＦＥＣコード付加モード設定完了フレームを生成し、共有バッファ１３０に記憶させる。
【０１５９】
次に、制御フレーム処理部１４０、送信部１２０ＢおよびＦＥＣコード付加部１１０Ｂの前述したのと同様な処理により、共有バッファ１３０に記憶されたＦＥＣコード付加モード設定完了フレームは、論理パスｎを介して、制御局装置２００へ送信される。
【０１６０】
その後、制御局装置２００では、ＦＥＣエラー訂正部２１０Ａおよび受信部２２０Ａの前述したのと同様な処理により、端末装置１００．ｎから送信されたＦＥＣコード付加モード設定完了フレームが受信バッファ２３０Ａに記憶されたとループバック試験処理部２５０が、判定すると以下の処理が行なわれる。ループバック試験処理部２５０は、ＦＥＣコード付加部２１０Ｂを、論理パスｎを伝送させるフレームに対してＦＥＣコードを付加しないＦＥＣコードなしモードに設定させるための制御指示を、制御フレーム処理部２４０へ送信する。制御フレーム処理部２４０は、ループバック試験処理部２５０からの当該制御指示に応じて、ＦＥＣコード付加部２１０Ｂを、ＦＥＣコードなしモードに設定する。この場合、ＦＥＣコードなしモードに設定されたＦＥＣコード付加部２１０Ｂは、論理パスｎを伝送させるフレームに対してＦＥＣコードを付加しない。
【０１６１】
次に、ループバック試験処理部２５０は、ループバック試験を行なうための複数のループバック試験フレームを生成し、送信バッファ２３０Ｂに記憶させる。
【０１６２】
そして、ループバック試験処理部２５０、送信部２２０ＢおよびＦＥＣコードなしモードに設定されたＦＥＣコード付加部２１０Ｂの前述したのと同様な処理により、送信バッファ２３０Ｂに記憶された複数のループバック試験フレームは、ＦＥＣコードが付加されず、順次、光送受信部２０５および論理パスｎを介して、端末装置１００．ｎへ送信される。
【０１６３】
その後、端末装置１００．ｎでは、制御フレーム処理部１４０が、ＦＥＣエラー訂正部１１０Ａおよび受信部１２０Ａの前述したのと同様な処理により、ループバック試験フレームが、共有バッファ１３０に記憶されたと判定すると、共有バッファ１３０からループバック試験フレームを読み出すためのループバック試験フレーム読出指示を、送信部１２０Ｂへ送信する。なお、共有バッファ１３０には、複数のループバック試験フレームが順次記憶される。
【０１６４】
送信部１２０Ｂは、ループバック試験フレーム読出指示を受信すると、送信バッファ２３０Ｂから複数のループバック試験フレームを順次読み出し、ＦＥＣコード付加モードに設定されたＦＥＣコード付加部１１０Ｂへ順次送信する。
【０１６５】
ＦＥＣコード付加モードに設定されたＦＥＣコード付加部１１０Ｂは、複数のループバック試験フレームに、ＦＥＣコードを付加し、当該ＦＥＣコードを付加した複数のループバック試験フレームを、順次、光送受信部１０５および論理パスｎを介して、制御局装置２００へ送信する。
【０１６６】
その後、制御局装置２００では、ＦＥＣエラー訂正部２１０Ａおよび受信部２２０Ａの前述したのと同様な処理により、端末装置１００．ｎから順次送信された複数のループバック試験フレームが受信バッファ２３０Ａに記憶されたと、ループバック試験処理部２５０が判定すると、ステップＳ２４２に進む。
【０１６７】
ステップＳ２４２では、下り方向ＦＥＣコードなし、上り方向ＦＥＣコード付与という条件におけるループバック試験処理が成功したか否かが判定される。具体的には、ステップＳ２２２の処理と同様、ループバック試験処理部２５０が、複数のオリジナルデータ部と、複数のループバック後データ部とが一致するか否かを判定する。
【０１６８】
ステップＳ２４２において、ＹＥＳならば、ステップＳ２４４Ｂに進む。
ステップＳ２４４Ｂでは、制御フレーム処理部２４０が、ＦＥＣコード付加部２１０Ｂを、論理パスｎを伝送させるフレームに対してＦＥＣコードを付与しないＦＥＣコードなしモードに設定する。制御フレーム処理部２４０は、当該設定データを設定記憶部２９０に記憶させる。その後、前述のループバック試験モード解除処理が行なわれる。その後、ステップＳ２５５Ａに進む。
【０１６９】
ステップＳ２５５Ａでは、開通処理が行なわれる。開通処理では、ループバック試験処理部２５０が、論理パスｎに主信号としてのフレームを伝送可能となった旨を示す開通指示フレームを、端末装置１００．ｎへ送信する。端末装置１００．ｎでは、受信した開通指示フレームに基づいて、制御フレーム処理部１４０が以下の処理を行なう。制御フレーム処理部１４０は、ＦＥＣコード付加部１１０Ｂを、論理パスｎを伝送させるフレームに対してＦＥＣコードを付与するＦＥＣコード付加モードに設定する。その後、このＦＥＣコード付加判定処理は終了する。
【０１７０】
以上の処理により、端末装置１００．ｎ（新規追加端末装置）と、制御局装置２００との間で主信号のデータ通信は、論理パスｎを介して、下り方向ＦＥＣコードなし、上り方向ＦＥＣコード付与という設定で行なわれる。
【０１７１】
前述のステップＳ２４２において、ＮＯならば、ステップＳ２５０に進む。
ステップＳ２５０では、下り方向ＦＥＣコード付与、上り方向ＦＥＣコード付与で、ループバック試験処理を行なう。まず、ループバック試験処理部２５０は、ＦＥＣコード付加部２１０Ｂを、論理パスｎを伝送させるフレームに対してＦＥＣコードを付与するＦＥＣコード付加モードに設定させるための制御指示を、制御フレーム処理部２４０へ送信する。制御フレーム処理部２４０は、ループバック試験処理部２５０からの当該制御指示に応じて、ＦＥＣコード付加部２１０Ｂを、ＦＥＣコード付加モードに設定する。
【０１７２】
次に、ループバック試験処理部２５０は、ループバック試験を行なうための複数のループバック試験フレームを生成し、送信バッファ２３０Ｂに記憶させる。
【０１７３】
また、ループバック試験処理部２５０は、送信バッファ２３０Ｂから複数のループバック試験フレームを順次読み出すためのループバック試験フレーム読出指示を、送信部２２０Ｂへ送信する。
【０１７４】
送信部２２０Ｂは、ループバック試験フレーム読出指示を受信すると、送信バッファ２３０Ｂから複数のループバック試験フレームを順次読み出し、ＦＥＣコード付加モードに設定されたＦＥＣコード付加部２１０Ｂへ順次送信する。
【０１７５】
ＦＥＣコード付加モードに設定されたＦＥＣコード付加部２１０Ｂは、ＦＥＣコードを付加した複数のループバック試験フレームを、順次、光送受信部２０５および論理パスｎを介して、端末装置１００．ｎへ送信する。
【０１７６】
その後、端末装置１００．ｎでは、前述したのと同様、上り方向ＦＥＣコード付与で、ループバック試験処理が行なわれる。複数のループバック試験フレームを受信して、制御局装置２００へ送り返す処理は、前述した処理と同様なので詳細な説明は繰り返さない。
【０１７７】
その後、制御局装置２００では、ＦＥＣエラー訂正部２１０Ａおよび受信部２２０Ａの前述したのと同様な処理により、端末装置１００．ｎから順次送信された複数のループバック試験フレームが受信バッファ２３０Ａに記憶されたと、ループバック試験処理部２５０が判定すると、ステップＳ２５２に進む。
【０１７８】
ステップＳ２５２では、下り方向ＦＥＣコード付与、上り方向ＦＥＣコード付与という条件におけるループバック試験処理が成功したか否かが判定される。具体的には、ステップＳ２２２の処理と同様、ループバック試験処理部２５０が、複数のオリジナルデータ部と、複数のループバック後データ部とが一致するか否かを判定する。
【０１７９】
ステップＳ２５２において、ＹＥＳならば、ステップＳ２５４Ｂに進む。
ステップＳ２５４Ｂでは、制御フレーム処理部２４０が、ＦＥＣコード付加部２１０Ｂを、論理パスｎを伝送させるフレームに対してＦＥＣコードを付与するＦＥＣコード付加モードに設定する。制御フレーム処理部２４０は、当該設定データを設定記憶部２９０に記憶させる。その後、前述のループバック試験モード解除処理が行なわれる。その後、ステップＳ２５５Ｂに進む。
【０１８０】
ステップＳ２５５Ｂでは、前述のステップＳ２５５Ａと同様な開通処理が行なわれるので詳細な説明は繰り返さない。その後、このＦＥＣコード付加判定処理は終了する。
【０１８１】
以上の処理により、端末装置１００．ｎ（新規追加端末装置）と、制御局装置２００との間で主信号のデータ通信は、論理パスｎを介して、下り方向ＦＥＣコード付与、上り方向ＦＥＣコード付与という設定で行なわれる。
【０１８２】
一方、ステップＳ２５２において、ＮＯならば、ステップＳ２５４Ａに進む。
ステップＳ２５４Ａでは、まず、前述のループバック試験モード解除処理が行なわれる。そして、前述の４通りの組合せでのループバック試験が全て失敗したという旨を示す試験失敗情報を、ループバック試験処理部２５０が、通信部２６０を介して、ＰＣ５００へ送信する。ＰＣ５００を操作するユーザは、試験失敗情報に基づいて、前述の４通りの組合せでのループバック試験が全て失敗したということを知る。この場合、オペレータは、たとえば、新規追加端末装置を交換させるとか、光カプラ３００とを接続するケーブルや接続箇所を検査させるといったハード的な保守作業を指示する。そして、制御局装置２００におけるＦＥＣコード付加判定処理は終了する。
【０１８３】
以上説明したように、本実施の形態における、ＦＥＣコード付加判定処理では、主信号のフレームの通信の開始に先立って、短時間で、端末装置１００．ｎ（新規追加端末装置）と、制御局装置２００との間での通信設定を終えることができる。したがって、主信号のフレームの通信を行なう場合、主信号の無駄な廃棄を防ぐことができる。
【０１８４】
また、本実施の形態では、伝送路のスループットの低下を防ぐために、エラーレートを測定する手段や通知する手段が不要である。以上により、低コストで、伝送路のスループットの低下を防ぐことができるという効果を奏する。
【０１８５】
本実施の形態によれば、最短で、１回のループバック試験で、新規追加端末装置と、制御局装置２００との間の通信設定を最適化できる。
【０１８６】
＜第２の実施の形態＞
第１の実施の形態では、端末装置１００．ｎが、制御局装置２００からの制御指示に応じて、端末装置１００．ｎ内のＦＥＣコード付加部１１０Ｂが、ＦＥＣコード付加モードまたはＦＥＣコードなしモードに設定され、ループバック試験を行なっていた。本実施の形態では、端末装置１００．ｎおよび制御局装置２００の各々の処理手順を予め決めておくことで、ループバック試験に要する工程を削減し、ループバック試験に要する時間のさらなる短縮化を図る。
【０１８７】
本実施の形態では、たとえば、ループバック試験モード設定フレームが何番目に送られてきたかで、端末装置１００．ｎ内のＦＥＣコード付加部１１０Ｂを、ＦＥＣコード付加モードまたはＦＥＣコードなしモードに設定するということを予め決めておく。本実施の形態においては、第１の実施の形態と同様、ＦＥＣコード付加モードに設定されたＦＥＣコード付加部１１０Ｂは、論理パスｎを伝送させるフレームに対してのみＦＥＣコードを付加する。また、ＦＥＣコードなしモードに設定されたＦＥＣコード付加部１１０Ｂは、論理パスｎを伝送させるフレームにＦＥＣコードを付加しない。
【０１８８】
本実施の形態では、一例として、端末装置１００．ｎが、１，２番目のループバック試験モード設定フレームを受信する期間（タイミング）では、制御局装置２００からの指示がなくても、ＦＥＣコード付加部１１０Ｂを、ＦＥＣコードなしモードに設定する。
【０１８９】
また、端末装置１００．ｎが、３，４番目のループバック試験モード設定フレームを受信する期間（タイミング）では、制御局装置２００からの指示がなくても、ＦＥＣコード付加部１１０Ｂを、ＦＥＣコード付加モードに設定する。以下、当該設定情報を、端末装置ループバック試験設定情報ともいう。端末装置ループバック試験設定情報は、予め、記憶部１９０に記憶されているとする。
【０１９０】
また、本実施の形態では、一例として、制御局装置２００が、１，３番目のループバック試験モード設定フレームを送信するときは、ＦＥＣコード付加部２１０Ｂを、ＦＥＣコードなしモードに設定する。また、制御局装置２００が、２，４番目のループバック試験モード設定フレームを送信するときは、ＦＥＣコード付加部２１０Ｂを、ＦＥＣコード付加モードに設定する。以下、当該設定情報を、制御局装置ループバック試験設定情報ともいう。制御局装置ループバック試験設定情報は、予め、設定記憶部２９０に記憶されているとする。
【０１９１】
次に、本実施の形態におけるＦＥＣコード付加判定処理を説明する。なお、本実施の形態における通信システムの構成は、第１の実施の形態の通信システム１０００と同様である。また、本実施の形態における通信システムを構成する端末装置および制御局装置の構成は、第１の実施の形態における、端末装置１００および制御局装置２００とそれぞれ同様である。
【０１９２】
図５は、第２の実施の形態におけるＦＥＣコード付加判定処理のフローチャートである。なお、ＦＥＣコード付加判定処理が行なわれている間、制御局装置２００と、他の端末装置との間で、データ通信が行なわれていても構わない。
【０１９３】
図５を参照して、制御局装置２００では、まず、ステップＳ４２０の処理が行なわれる。
【０１９４】
ステップＳ４２０では、下り方向ＦＥＣコードなし、上り方向ＦＥＣコードなしという条件で、ループバック試験処理が行なわれる。まず、前述のステップＳ２００と同様な処理が実行されて、ループバック試験処理部２５０は、ＰＣ５００からループバック試験指示を受信する。ループバック試験指示は、論理パスｎに伝送させるフレームに対してのみループバック試験を行なわせるためのフレームである。ループバック試験処理部２５０は、ループバック試験指示を受信すると、制御局装置２００をループバック試験モードに設定する。ループバック試験モードに設定された制御局装置２００は、論理パスｎに対してのみループバック試験を行なう。
【０１９５】
そして、前述のステップＳ２００と同様な処理が実行されて、ループバック試験モード設定フレームが、光送受信部２０５および論理パスｎを介して、端末装置１００．ｎへ送信される。ループバック試験モード設定フレームは、論理パスｎに対してのみループバック試験を行なわせるためのフレームである。
【０１９６】
端末装置１００．ｎでは、まず、ステップＳ３１２の処理が行なわれる。ステップＳ３１２では、制御フレーム処理部１４０が、ＦＥＣコード付加部１１０Ｂを、ＦＥＣコードなしモードに設定する。この場合、ＦＥＣコードなしモードに設定されたＦＥＣコード付加部１１０Ｂは、論理パスｎを伝送させるフレームに対してＦＥＣコードを付加しない。その後、ステップＳ３２０に進む。
【０１９７】
ステップＳ３２０では、まず、前述のループバック試験モード設定処理Ｂと同様、ＦＥＣエラー訂正部１１０Ａおよび受信部１２０Ａの動作により、受信したループバック試験モード設定フレームが共有バッファ１３０に記憶される。共有バッファ１３０にループバック試験モード設定フレームが記憶されると、制御フレーム処理部１４０は、端末装置１００．ｎをループバック試験モードに設定する。ループバック試験モードに設定された端末装置１００．ｎは、論理パスｎを伝送させるフレームに対してのみループバック試験を行なう。
【０１９８】
次に、前述のループバック試験モード設定処理Ｂと同様、端末装置１００．ｎをループバック試験モードに設定した旨を示す設定完了フレームが、制御局装置２００へ送信される。
【０１９９】
制御局装置２００では、設定完了フレームを受信すると、まず、制御フレーム処理部２４０は、設定記憶部２９０に記憶されている制御局装置ループバック試験設定情報に基づいて、ＦＥＣコード付加部２１０Ｂを、ＦＥＣコードなしモードに設定する。
【０２００】
その後、ループバック試験処理部２５０は、ループバック試験を行なうための複数のループバック試験フレームを生成し、送信バッファ２３０Ｂに記憶させる。
【０２０１】
次に、ループバック試験処理部２５０、送信部２２０ＢおよびＦＥＣコードなしモードに設定されたＦＥＣコード付加部２１０Ｂの前述したのと同様な処理により、送信バッファ２３０Ｂに記憶された複数のループバック試験フレームは、ＦＥＣコードが付加されず、順次、光送受信部２０５および論理パスｎを介して、端末装置１００．ｎへ送信される。
【０２０２】
その後、端末装置１００．ｎでは、制御フレーム処理部１４０が、ＦＥＣエラー訂正部１１０Ａおよび受信部１２０Ａの前述したのと同様な処理により、ループバック試験フレームが、共有バッファ１３０に記憶されたと判定すると、共有バッファ１３０からループバック試験フレームを読み出すためのループバック試験フレーム読出指示を、送信部１２０Ｂへ送信する。なお、共有バッファ１３０には、複数のループバック試験フレームが順次記憶される。
【０２０３】
送信部１２０Ｂは、ループバック試験フレーム読出指示を受信すると、共有バッファ１３０から複数のループバック試験フレームを順次読み出し、ＦＥＣコードなしモードに設定されたＦＥＣコード付加部１１０Ｂへ順次送信する。
【０２０４】
ＦＥＣコードなしモードに設定されたＦＥＣコード付加部１１０Ｂは、ＦＥＣコードを付加していない複数のループバック試験フレームを、順次、光送受信部１０５および論理パスｎを介して、制御局装置２００へ送信する。
【０２０５】
その後、制御局装置２００では、ＦＥＣエラー訂正部２１０Ａおよび受信部２２０Ａの前述したのと同様な処理により、端末装置１００．ｎから順次送信された複数のループバック試験フレームが受信バッファ２３０Ａに記憶されたと、ループバック試験処理部２５０が判定すると、ループバック試験モード解除処理が行なわれる。
【０２０６】
ループバック試験モード解除処理では、ループバック試験処理部２５０が、端末装置１００．ｎ（新規追加端末装置）のループバック試験モードを解除するためのフレームを、端末装置１００．ｎへ送信することで、端末装置１００．ｎのループバック試験モードを解除する。また、ループバック試験処理部２５０は、制御局装置２００のループバック試験モードを解除する。その後、ステップＳ４２２に進む。
【０２０７】
ステップＳ４２２では、下り方向ＦＥＣコードなし、上り方向ＦＥＣコードなしという条件におけるループバック試験処理が成功したか否かが判定される。具体的には、前述のステップＳ２２２の処理と同様、ループバック試験処理部２５０が、複数のオリジナルデータ部と、複数のループバック後データ部とが一致するか否かを判定する。
【０２０８】
ステップＳ４２２において、ＹＥＳならば、ステップＳ４２４に進む。
ステップＳ４２４では、開通処理が行なわれる。開通処理では、まず、制御フレーム処理部２４０が、ＦＥＣコード付加部２１０Ｂを、論理パスｎを伝送させるフレームに対してＦＥＣコードを付与しないＦＥＣコードなしモードに設定する。制御フレーム処理部２４０は、当該設定データを設定記憶部２９０に記憶させる。
【０２０９】
次に、ループバック試験処理部２５０が、論理パスｎに主信号としてのフレームを伝送可能となった旨を示す開通指示フレームを、端末装置１００．ｎへ送信する。その後、制御局装置２００におけるＦＥＣコード付加判定処理は終了する。
【０２１０】
端末装置１００．ｎでは、ステップＳ３２０の処理の後、ステップＳ３２１に進む。
ステップＳ３２１では、制御フレーム処理部１４０が、制御フレームを受信したか否かを判定する。ステップＳ３２１において、ＹＥＳならば、ステップＳ３２２に進む。一方、ステップＳ３２１において、ＮＯならば、再度、ステップＳ３２１の処理が繰り返される。この場合、開通指示フレームを受信したので、ステップＳ３２２に進む。
【０２１１】
ステップＳ３２２では、制御フレーム処理部１４０が、受信したフレームが、ループバック試験モード設定フレームであるか否かを判定する。ステップＳ３２２において、ＹＥＳならば、ステップＳ３３０に進む。一方、ステップＳ３２２において、ＮＯならば、ステップＳ３２３に進む。この場合、開通指示フレームを受信したので、ステップＳ３２３に進む。
【０２１２】
ステップＳ３２３では、制御フレーム処理部１４０が、受信したフレームが、開通指示フレームであるか否かを判定する。ステップＳ３２３において、ＹＥＳならば、ステップＳ３２４に進む。一方、ステップＳ３２３において、ＮＯならば、この端末装置１００．ｎにおけるＦＥＣコード付加判定処理は終了する。この場合、開通指示フレームを受信したので、ステップＳ３２４に進む。
【０２１３】
ステップＳ３２４では、開通処理が行なわれる。開通処理では、制御フレーム処理部１４０が、ＦＥＣコード付加部１１０Ｂを、論理パスｎを伝送させるフレームに対してＦＥＣコードを付与しないＦＥＣコードなしモードに設定する。その後、この端末装置１００．ｎにおけるＦＥＣコード付加判定処理は終了する。
【０２１４】
以上の処理により、端末装置１００．ｎ（新規追加端末装置）と、制御局装置２００との間で主信号のデータ通信は、論理パスｎを介して、下り方向ＦＥＣコードなし、上り方向ＦＥＣコードなしという設定で行なわれる。
【０２１５】
制御局装置２００では、ステップＳ４２２において、ＮＯならば、ステップＳ４３０に進む。
【０２１６】
ステップＳ４３０では、下り方向ＦＥＣコード付与、上り方向ＦＥＣコードなしという条件で、ループバック試験処理を行なう。まず、前述のステップＳ４２０と同様な処理が実行されて、ループバック試験処理部２５０は、制御局装置２００をループバック試験モードに設定する。次に、ループバック試験モード設定フレームが、光送受信部２０５および論理パスｎを介して、端末装置１００．ｎへ送信される。
【０２１７】
端末装置１００．ｎでは、前述のステップＳ３２１，Ｓ３２２の処理により、ステップＳ３３０に進む。
【０２１８】
ステップＳ３３０では、前述のステップＳ３２０と同様に、ループバック試験モード設定フレームを受信し、端末装置１００．ｎがループバック試験モードに設定される。次に、端末装置１００．ｎをループバック試験モードに設定した旨を示す設定完了フレームが、制御局装置２００へ送信される。
【０２１９】
制御局装置２００では、設定完了フレームを受信すると、まず、制御フレーム処理部２４０は、設定記憶部２９０に記憶されている制御局装置ループバック試験設定情報に基づいて、ＦＥＣコード付加部２１０Ｂを、ＦＥＣコード付加モードに設定する。
【０２２０】
その後、ループバック試験処理部２５０は、ループバック試験を行なうための複数のループバック試験フレームを生成し、送信バッファ２３０Ｂに記憶させる。
【０２２１】
次に、ループバック試験処理部２５０、送信部２２０ＢおよびＦＥＣコード付加モードに設定されたＦＥＣコード付加部２１０Ｂの前述したのと同様な処理により、送信バッファ２３０Ｂに記憶された複数のループバック試験フレームは、ＦＥＣコードが付加されて、順次、論理パスｎを介して、端末装置１００．ｎへ送信される。
【０２２２】
その後、端末装置１００．ｎでは、制御フレーム処理部１４０が、ＦＥＣエラー訂正部１１０Ａおよび受信部１２０Ａの前述したのと同様な処理により、ループバック試験フレームが、共有バッファ１３０に記憶されたと判定すると、共有バッファ１３０からループバック試験フレームを読み出すためのループバック試験フレーム読出指示を、送信部１２０Ｂへ送信する。なお、共有バッファ１３０には、複数のループバック試験フレームが順次記憶される。
【０２２３】
次に、ステップＳ３２０と同様な処理により、ＦＥＣコードを付加していない複数のループバック試験フレームを、順次、論理パスｎを介して、制御局装置２００へ送信する。
【０２２４】
その後、制御局装置２００では、ＦＥＣエラー訂正部２１０Ａおよび受信部２２０Ａの前述したのと同様な処理により、端末装置１００．ｎから順次送信された複数のループバック試験フレームが受信バッファ２３０Ａに記憶されたと、ループバック試験処理部２５０が判定すると、前述のループバック試験モード解除処理が行なわれる。その後、ステップＳ４３２に進む。
【０２２５】
ステップＳ４３２では、下り方向ＦＥＣコード付与、上り方向ＦＥＣコードなしという条件におけるループバック試験処理が成功したか否かが判定される。具体的には、前述のステップＳ２２２の処理と同様、ループバック試験処理部２５０が、複数のオリジナルデータ部と、複数のループバック後データ部とが一致するか否かを判定する。
【０２２６】
ステップＳ４３２において、ＹＥＳならば、ステップＳ４３４に進む。
ステップＳ４３４では、開通処理が行なわれる。開通処理では、まず、制御フレーム処理部２４０が、ＦＥＣコード付加部２１０Ｂを、論理パスｎを伝送させるフレームに対してＦＥＣコードを付与するＦＥＣコード付加モードに設定する。制御フレーム処理部２４０は、当該設定データを設定記憶部２９０に記憶させる。
【０２２７】
次に、ループバック試験処理部２５０が、論理パスｎに主信号としてのフレームを伝送可能となった旨を示す開通指示フレームを、端末装置１００．ｎへ送信する。その後、制御局装置２００におけるＦＥＣコード付加判定処理は終了する。
【０２２８】
端末装置１００．ｎでは、ステップＳ３３０の処理の後、ステップＳ３３１に進む。
ステップＳ３３１では、制御フレーム処理部１４０が、制御フレームを受信したか否かを判定する。ステップＳ３３１において、ＹＥＳならば、ステップＳ３３２に進む。一方、ステップＳ３３１において、ＮＯならば、再度、ステップＳ３３１の処理が繰り返される。この場合、開通指示フレームを受信したので、ステップＳ３３２に進む。
【０２２９】
ステップＳ３３２では、制御フレーム処理部１４０が、受信したフレームが、ループバック試験モード設定フレームであるか否かを判定する。ステップＳ３３２において、ＹＥＳならば、ステップＳ３３８に進む。一方、ステップＳ３３２において、ＮＯならば、ステップＳ３３３に進む。この場合、開通指示フレームを受信したので、ステップＳ３３３に進む。
【０２３０】
ステップＳ３３３では、制御フレーム処理部１４０が、受信したフレームが、開通指示フレームであるか否かを判定する。ステップＳ３３３において、ＹＥＳならば、ステップＳ３３４に進む。一方、ステップＳ３３３において、ＮＯならば、この端末装置１００．ｎにおけるＦＥＣコード付加判定処理は終了する。この場合、開通指示フレームを受信したので、ステップＳ３３４に進む。
【０２３１】
ステップＳ３３４では、前述のステップＳ３２４と同様な開通処理が行なわれるので詳細な説明は繰り返さない。その後、この端末装置１００．ｎにおけるＦＥＣコード付加判定処理は終了する。
【０２３２】
以上の処理により、端末装置１００．ｎ（新規追加端末装置）と、制御局装置２００との間で主信号のデータ通信は、論理パスｎを介して、下り方向ＦＥＣコード付与、上り方向ＦＥＣコードなしという設定で行なわれる。
【０２３３】
制御局装置２００では、ステップＳ４３２において、ＮＯならば、ステップＳ４４０に進む。
【０２３４】
ステップＳ４４０では、下り方向ＦＥＣコードなし、上り方向ＦＥＣコード付与で、ループバック試験処理を行なう。まず、前述のステップＳ４２０と同様な処理が実行されて、ループバック試験処理部２５０は、制御局装置２００をループバック試験モードに設定する。次に、ループバック試験モード設定フレームが、光送受信部２０５および論理パスｎを介して、端末装置１００．ｎへ送信される。
【０２３５】
端末装置１００．ｎでは、前述のステップＳ３３１，Ｓ３３２の処理により、ステップＳ３３８に進む。
【０２３６】
ステップＳ３３８では、制御フレーム処理部１４０が、記憶部１９０に記憶されている端末装置ループバック試験設定情報に基づいて、ＦＥＣコード付加部１１０Ｂを、ＦＥＣコード付加モードに設定する。その後、ステップＳ３４０に進む。
【０２３７】
ステップＳ３４０では、前述のステップＳ３２０と同様に、ループバック試験モード設定フレームを受信し、端末装置１００．ｎがループバック試験モードに設定される。次に、端末装置１００．ｎをループバック試験モードに設定した旨を示す設定完了フレームが、制御局装置２００へ送信される。
【０２３８】
制御局装置２００では、設定完了フレームを受信すると、まず、制御フレーム処理部２４０は、設定記憶部２９０に記憶されている制御局装置ループバック試験設定情報に基づいて、ＦＥＣコード付加部２１０Ｂを、ＦＥＣコードなしモードに設定する。
【０２３９】
その後、ループバック試験処理部２５０は、ループバック試験を行なうための複数のループバック試験フレームを生成し、送信バッファ２３０Ｂに記憶させる。
【０２４０】
次に、ループバック試験処理部２５０、送信部２２０ＢおよびＦＥＣコードなしモードに設定されたＦＥＣコード付加部２１０Ｂの前述したのと同様な処理により、送信バッファ２３０Ｂに記憶された複数のループバック試験フレームは、ＦＥＣコードが付加されず、順次、論理パスｎを介して、端末装置１００．ｎへ送信される。
【０２４１】
その後、端末装置１００．ｎでは、制御フレーム処理部１４０が、ＦＥＣエラー訂正部１１０Ａおよび受信部１２０Ａの前述したのと同様な処理により、ループバック試験フレームが、共有バッファ１３０に記憶されたと判定すると、共有バッファ１３０からループバック試験フレームを読み出すためのループバック試験フレーム読出指示を、送信部１２０Ｂへ送信する。なお、共有バッファ１３０には、複数のループバック試験フレームが順次記憶される。
【０２４２】
送信部１２０Ｂは、ループバック試験フレーム読出指示を受信すると、共有バッファ１３０から複数のループバック試験フレームを順次読み出し、ＦＥＣコード付加モードに設定されたＦＥＣコード付加部１１０Ｂへ順次送信する。
【０２４３】
ＦＥＣコード付加モードに設定されたＦＥＣコード付加部１１０Ｂは、ＦＥＣコードを付加していない複数のループバック試験フレームを、順次、光送受信部１０５および論理パスｎを介して、制御局装置２００へ送信する。
【０２４４】
その後、制御局装置２００では、ＦＥＣエラー訂正部２１０Ａおよび受信部２２０Ａの前述したのと同様な処理により、端末装置１００．ｎから順次送信された複数のループバック試験フレームが受信バッファ２３０Ａに記憶されたと、ループバック試験処理部２５０が判定すると、前述のループバック試験モード解除処理が行なわれる。その後、ステップＳ４４２に進む。
【０２４５】
ステップＳ４４２では、下り方向ＦＥＣコードなし、上り方向ＦＥＣコード付与という条件におけるループバック試験処理が成功したか否かが判定される。具体的には、前述のステップＳ２２２の処理と同様、ループバック試験処理部２５０が、複数のオリジナルデータ部と、複数のループバック後データ部とが一致するか否かを判定する。
【０２４６】
ステップＳ４４２において、ＹＥＳならば、ステップＳ４４４に進む。
ステップＳ４４４では、開通処理が行なわれる。開通処理では、まず、制御フレーム処理部２４０が、ＦＥＣコード付加部２１０Ｂを、論理パスｎを伝送させるフレームに対してＦＥＣコードを付与しないＦＥＣコードなしモードに設定する。制御フレーム処理部２４０は、当該設定データを設定記憶部２９０に記憶させる。
【０２４７】
次に、ループバック試験処理部２５０が、論理パスｎに主信号としてのフレームを伝送可能となった旨を示す開通指示フレームを、端末装置１００．ｎへ送信する。その後、制御局装置２００におけるＦＥＣコード付加判定処理は終了する。
【０２４８】
端末装置１００．ｎでは、ステップＳ３４０の処理の後、ステップＳ３４１に進む。
ステップＳ３４１では、制御フレーム処理部１４０が、制御フレームを受信したか否かを判定する。ステップＳ３４１において、ＹＥＳならば、ステップＳ３４２に進む。一方、ステップＳ３４１において、ＮＯならば、再度、ステップＳ３４１の処理が繰り返される。この場合、開通指示フレームを受信したので、ステップＳ３４２に進む。
【０２４９】
ステップＳ３４２では、制御フレーム処理部１４０が、受信した制御フレームが、ループバック試験モード設定フレームであるか否かを判定する。ステップＳ３４２において、ＹＥＳならば、ステップＳ３５０に進む。一方、ステップＳ３４２において、ＮＯならば、ステップＳ３４３に進む。この場合、開通指示フレームを受信したので、ステップＳ３４３に進む。
【０２５０】
ステップＳ３４３では、制御フレーム処理部１４０が、受信したフレームが、開通指示フレームであるか否かを判定する。ステップＳ３４３において、ＹＥＳならば、ステップＳ３４４に進む。一方、ステップＳ３４３において、ＮＯならば、この端末装置１００．ｎにおけるＦＥＣコード付加判定処理は終了する。この場合、開通指示フレームを受信したので、ステップＳ３４４に進む。
【０２５１】
ステップＳ３４４では、開通処理が行なわれる。開通処理では、制御フレーム処理部１４０が、ＦＥＣコード付加部１１０Ｂを、論理パスｎを伝送させるフレームに対してＦＥＣコードを付与するＦＥＣコード付加モードに設定する。その後、この端末装置１００．ｎにおけるＦＥＣコード付加判定処理は終了する。
【０２５２】
以上の処理により、端末装置１００．ｎ（新規追加端末装置）と、制御局装置２００との間で主信号のデータ通信は、論理パスｎを介して、下り方向ＦＥＣコードなし、上り方向ＦＥＣコード付与という設定で行なわれる。
【０２５３】
制御局装置２００では、ステップＳ４４２において、ＮＯならば、ステップＳ４５０に進む。
【０２５４】
ステップＳ４５０では、下り方向ＦＥＣコード付与、上り方向ＦＥＣコード付与で、ループバック試験処理を行なう。まず、前述のステップＳ４２０と同様な処理が実行されて、ループバック試験処理部２５０は、制御局装置２００をループバック試験モードに設定する。次に、ループバック試験モード設定フレームが、光送受信部２０５および論理パスｎを介して、端末装置１００．ｎへ送信される。
【０２５５】
端末装置１００．ｎでは、前述のステップＳ３４１，Ｓ３４２の処理により、ステップＳ３５０に進む。
【０２５６】
ステップＳ３５０では、前述のステップＳ３２０と同様に、ループバック試験モード設定フレームを受信し、端末装置１００．ｎがループバック試験モードに設定される。次に、端末装置１００．ｎをループバック試験モードに設定した旨を示す設定完了フレームが、制御局装置２００へ送信される。
【０２５７】
制御局装置２００では、設定完了フレームを受信すると、まず、制御フレーム処理部２４０は、設定記憶部２９０に記憶されている制御局装置ループバック試験設定情報に基づいて、ＦＥＣコード付加部２１０Ｂを、ＦＥＣコード付加モードに設定する。
【０２５８】
その後、ループバック試験処理部２５０は、ループバック試験を行なうための複数のループバック試験フレームを生成し、送信バッファ２３０Ｂに記憶させる。
【０２５９】
次に、ループバック試験処理部２５０、送信部２２０ＢおよびＦＥＣコード付加モードに設定されたＦＥＣコード付加部２１０Ｂの前述したのと同様な処理により、送信バッファ２３０Ｂに記憶された複数のループバック試験フレームは、ＦＥＣコードが付加されて、順次、論理パスｎを介して、端末装置１００．ｎへ送信される。
【０２６０】
その後、端末装置１００．ｎでは、ステップＳ３４０と同様な処理により、ＦＥＣコードを付加した複数のループバック試験フレームを、順次、光送受信部１０５および論理パスｎを介して、制御局装置２００へ送信する。
【０２６１】
その後、制御局装置２００では、ＦＥＣエラー訂正部２１０Ａおよび受信部２２０Ａの前述したのと同様な処理により、端末装置１００．ｎから順次送信された複数のループバック試験フレームが受信バッファ２３０Ａに記憶されたと、ループバック試験処理部２５０が判定すると、前述のループバック試験モード解除処理が行なわれる。その後、ステップＳ４５２に進む。
【０２６２】
ステップＳ４５２では、下り方向ＦＥＣコード付与、上り方向ＦＥＣコード付与という条件におけるループバック試験処理が成功したか否かが判定される。具体的には、前述のステップＳ２２２の処理と同様、ループバック試験処理部２５０が、複数のオリジナルデータ部と、複数のループバック後データ部とが一致するか否かを判定する。
【０２６３】
ステップＳ４５２において、ＹＥＳならば、ステップＳ４５４Ｂに進む。
ステップＳ４５４Ｂでは、開通処理が行なわれる。開通処理では、まず、制御フレーム処理部２４０が、ＦＥＣコード付加部２１０Ｂを、論理パスｎを伝送させるフレームに対してＦＥＣコードを付与するＦＥＣコード付加モードに設定する。制御フレーム処理部２４０は、当該設定データを設定記憶部２９０に記憶させる。
【０２６４】
次に、ループバック試験処理部２５０が、論理パスｎに主信号としてのフレームを伝送可能となった旨を示す開通指示フレームを、端末装置１００．ｎへ送信する。その後、制御局装置２００におけるＦＥＣコード付加判定処理は終了する。
【０２６５】
端末装置１００．ｎでは、ステップＳ３５０の処理の後、ステップＳ３５１に進む。
ステップＳ３５１では、制御フレーム処理部１４０が、開通指示フレームを受信したか否かを判定する。ステップＳ３５１において、ＹＥＳならば、ステップＳ３５２に進む。一方、ステップＳ３５１において、ＮＯならば、再度、ステップＳ３５１の処理が繰り返される。この場合、開通指示フレームを受信したので、ステップＳ３５２に進む。
【０２６６】
ステップＳ３５２では、前述のステップＳ３４４と同様な開通処理が行なわれるので詳細な説明は繰り返さない。その後、この端末装置１００．ｎにおけるＦＥＣコード付加判定処理は終了する。
【０２６７】
以上の処理により、端末装置１００．ｎ（新規追加端末装置）と、制御局装置２００との間で主信号のデータ通信は、論理パスｎを介して、下り方向ＦＥＣコード付与、上り方向ＦＥＣコード付与という設定で行なわれる。
【０２６８】
ステップＳ４５２において、ＮＯならば、ステップＳ４５４Ａに進む。
ステップＳ４５４Ａでは、詳細な説明は繰り返さないが、前述のステップＳ２５４Ａの処理と同様な処理が行なわれ、試験失敗情報を、ループバック試験処理部２５０が、通信部２６０を介して、ＰＣ５００へ送信する。そして、制御局装置２００におけるＦＥＣコード付加判定処理は終了する。
【０２６９】
以上説明したように、本実施の形態におけるＦＥＣコード付加判定処理では、端末装置１００．ｎおよび制御局装置２００の各々の処理手順を予め決めておく。これにより、制御局装置２００が、ＦＥＣコード付加部１１０Ｂを、ＦＥＣコードなしモードまたはＦＥＣコード付加モードに設定する処理が不要となり、通信システム１０００に新たに機器を追加する際、第１の実施の形態よりもさらに少ない工程（時間）で、端末装置１００．ｎ（新規追加端末装置）と、制御局装置２００との間での通信設定を終えることができる。すなわち、本実施の形態では、第１の実施の形態の奏する効果に加えて、第１の実施の形態よりもループバック試験に要する工程を削減し、ループバック試験に要する時間のさらなる短縮化を図ることができるという効果を奏する。
【０２７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２７１】
【図１】本実施の形態における通信システムの構成を示す図である。
【図２】端末装置の内部構成の一例を示すブロック図である。
【図３】制御局装置２００の内部構成の一例を示すブロック図である。
【図４】第１の実施の形態におけるＦＥＣコード付加判定処理のフローチャートである。
【図５】第２の実施の形態におけるＦＥＣコード付加判定処理のフローチャートである。
【符号の説明】
【０２７２】
１００，１００．１，１００．２，・・・，１００．ｎ  端末装置、１１０Ａ，２１０Ａ  ＦＥＣエラー訂正部、１１０Ｂ，２１０Ｂ  ＦＥＣコード付加部、１４０，２４０  制御フレーム処理部、１９０  記憶部、２００  制御局装置、２５０  ループバック試験処理部、２９０  設定記憶部、１０００  通信システム。
【図１】
2006352327.tif 000003
【図２】
2006352327.tif 000004
【図３】
2006352327.tif 000005
【図４】
2006352327.tif 000006
【図５】
2006352327.tif 000007